【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
血液を血液ポンプに輸送する導管であって：
ｉ）近位端及び遠位端を有する管状本体を備えた可塑性の導管セグメントであって、前記管状本体は、前記近位端と前記遠位端との間の導管管腔を画定する、前記近位導管セグメントと；
ｉｉ）近位端及び遠位端を有する管状本体を備えた遠位導管先端部であって、前記管状本体は、前記遠位導管先端部の前記近位端及び前記遠位端の間に管腔を画定する、前記導管。
【請求項２】
前記近位導管セグメントの遠位部分から前記遠位導管先端部の前記遠位端面の遠位領域まで遠位に延在する１つ以上の細長いリブを備える遠位導管先端部保護ケージ構造を更に備える、請求項１に記載の導管。
【請求項３】
前記近位導管セグメントと前記遠位導管先端部との間に挿入された遠位導管セグメントをさらに備え、
前記導管の前記近位セグメントの前記遠位端が、前記遠位セグメントの前記近位端に連結され；かつ
前記導管の前記遠位セグメントの前記遠位端が、前記遠位導管先端部の前記近位端に連結される、請求項１に記載の導管。
【請求項４】
前記遠位導管先端部の前記近位端は、前記導管部の前記近位セグメントの前記遠位端に連結され；かつ
前記遠位導管先端部の前記遠位端は、少なくとも２つのピーク部分及び少なくとも２つの谷部分を有する端面を有する、請求項１〜請求項３のいずれか１項に記載の導管。
【請求項５】
前記遠位導管先端部の前記近位部分が、前記遠位導管セグメントの前記遠位端または前記近位導管セグメントの前記遠位端と係合するための前記遠位導管先端部の外面の周りの環状返し部を備える、請求項１〜請求項３のいずれか１項に記載の導管。
【請求項６】
前記遠位導管先端部の前記近位部分が、少なくとも１つの他の環状返し部を画定する、請求項５に記載の導管。
【請求項７】
前記遠位導管先端部の前記少なくとも１つの他の環状返し部が、前記環状返し部の近位に配置される、請求項６に記載の導管。
【請求項８】
前記遠位導管先端部の前記少なくとも１つの他の環状返し部が、前記遠位導管先端部の長手方向軸から、前記第１の環状返し部の角度よりも大きな角度で延在する、請求項７に記載の導管。
【請求項９】
前記遠位導管先端部保護ケージ構造の近位部分が、前記近位導管セグメントもしくは前記遠位導管セグメントの前記遠位部分、前記遠位導管先端部、または前記近位導管セグメントもしくは前記遠位導管セグメントの前記遠位部分及び前記遠位導管先端部の両方に連結されたリング、リング状、冠状またはステント状構造を有する、請求項１〜請求項８のいずれか１項に記載の導管。
【請求項１０】
前記遠位導管先端部保護ケージ構造の遠位部分が、前記細長いリブに連結されているリング、リング状、冠状、またはステント状構造を有する、請求項１〜請求項９のいずれか１項に記載の導管。
【請求項１１】
遠位導管先端部保護ケージ構造の前記遠位端が、前記近位導管セグメントまたは前記遠位導管セグメントの長軸に対して平行な軸に沿って平行移動されたとき、前記遠位導管先端部保護ケージ構造が、前記近位導管セグメントまたは前記遠位導管セグメントの前記長軸を横断する軸に沿った寸法で拡張または収縮する、請求項１〜請求項１０のいずれか１項に記載の導管。
【請求項１２】
前記遠位導管先端部が、前記近位導管セグメントまたは前記遠位導管セグメントの前記長軸に平行な平面上で参照されるように、拡張された前記遠位導管先端部保護ケージの中央に配置される、請求項１〜請求項１１のいずれか１項に記載の導管。
【請求項１３】
前記導管内の流体経路にアクセスするための側方ポートを備える、請求項１〜請求項１２のいずれか１項に記載の導管。
【請求項１４】
前記側方ポートが、剛性セグメント及び可塑性セグメントを含む、請求項１３に記載の導管。
【請求項１５】
前記流体経路と流体連通する前記側方ポートの前記部分が、キャップを備える、請求項１３に記載の導管。
【請求項１６】
繊維質である外層の少なくとも一部分、及び前記内面の少なくとも一部分という２つの部分のカフをさらに備え、
前記２つのカフ部分が、近位導管セグメント、遠位導管セグメント、または遠位導管先端部の可塑性近位部分の周囲に互いに付着するように構成されている、請求項１〜請求項３のいずれか１項に記載の導管。
【請求項１７】
テクスチャ加工された内面の少なくとも一部は、一連の円周方向に連続するかまたは交互に割り込まれた突起を備える、請求項１６に記載の導管。
【請求項１８】
血液ポンプと；
動脈、静脈、心房、または他の血液含有構造から血液を血液ポンプに輸送するための第１の導管であって：
第１の近位端と第１の遠位端とを有する第１の管状導管本体を備えた可塑性の、圧縮抵抗かつねじれ抵抗の第１の近位セグメントであって、前記第１の管状本体は、前記第１の近位端と前記第１の遠位端との間の第１の導管管腔を画定する、前記第１の近位セグメントと；
第１の遠位導管先端部、及び第１の遠位導管先端部保護ケージ構造をさらに備える第１の遠位先端部アセンブリであって：
前記第１の遠位導管先端部は、第１の近位端及び第１の遠位端を有する第１の遠位導管先端部本体を備え、前記第１の遠位導管先端部本体は、前記第１の遠位導管先端部の前記近位端と前記第１の遠位導管先端部の前記遠位端との間の第１の遠位導管先端部管腔を画定し；
前記第１の遠位導管先端部の前記近位端は、前記第１の近位セグメントの前記遠位端に連結され；
前記第１の遠位導管先端部の前記遠位端は、少なくとも２つのピーク部分及び少なくとも２つの谷部分を有する端面を有し；
前記第１の遠位導管先端部保護ケージ構造が、前記近位導管セグメントの前記遠位部分から、または前記遠位導管先端部から、前記遠位導管先端部の前記遠位端面に対して遠位領域まで遠位に延在する２つ以上の細長いリブを備える、
前記第１の遠位先端部アセンブリと；
を備える、前記第１の導管と、
前記血液ポンプから静脈または動脈に血液を輸送するための第２の導管であって：
第２の近位端と第２の遠位端とを有する第２の管状導管本体を備えた可塑性の、圧縮抵抗かつねじれ抵抗の第２の近位セグメントであって、前記第２の管状導管本体は、前記第２の近位端と前記第２の遠位端との間の第２の導管管腔を画定する、前記第２の近位セグメントと；
近位端及び遠位端を有する概して管状の第２の遠位導管先端部であって、前記第２の遠位導管先端部の前記近位端が、前記第２の近位導管セグメントの前記遠位端に連結される、前記第２の遠位導管先端部と；を備え、
前記第２の遠位導管先端部の前記遠位部分の管腔の断面積は、前記第２の遠位導管先端部の近位部分の管腔または前記第２の近位導管セグメントの管腔の断面積よりも小さい、
前記第２の導管と、
を備える、血液ポンプシステム。
【請求項１９】
前記近位導管セグメントと前記遠位導管先端部との間に挿入された遠位導管セグメントをさらに備え、
前記導管の前記近位セグメントの前記遠位端が、前記遠位セグメントの前記近位端に連結され；かつ
前記導管の前記遠位セグメントの前記遠位端が、前記遠位導管先端部の前記近位端に接続される、
請求項１８に記載の血液ポンプシステム。
【請求項２０】
前記遠位導管先端部または遠位導管先端部保護ケージ構造の少なくとも一つが、２〜１６μｍＲａの範囲の表面粗さを有する、請求項１８に記載の血液ポンプシステム。
【手続補正２】
【補正対象書類名】明細書
【補正対象項目名】０３１３
【補正方法】変更
【補正の内容】
【０３１３】
本発明は、例示的な態様及び実施形態に関連して説明されてきたが、その説明を読むことにより、その様々な改変が当業者に明らかになるであろうことが理解されるべきである。したがって、本開示は、添付の特許請求の範囲に含まれるそのような変更を包含することを意図していることが理解されるべきである。
＜付記＞
＜項１＞
動脈、静脈、心房、または他の血液含有構造から血液を血液ポンプに輸送する導管であって：
ｉ）近位端及び遠位端を有する管状本体を備えた可塑性の近位導管セグメントであって、前記管状本体は、前記近位端と前記遠位端との間の導管管腔を画定する、前記近位導管セグメントと；
ｉｉ）近位端及び遠位端を有する管状本体を備えた遠位導管先端部であって、前記管状本体は、前記遠位導管先端部の前記近位端及び前記遠位端の間に管腔を画定し、
前記遠位導管先端部の前記近位端は、前記導管部の前記近位セグメントの前記遠位端に連結され；かつ
前記遠位導管先端部の前記遠位端は、少なくとも２つのピーク部分及び少なくとも２つの谷部分を有する端面を有する、前記遠位導管先端部と；
ｉｉｉ）前記近位導管セグメントの遠位部分から前記遠位導管先端部の前記遠位端面の遠位領域まで遠位に延在する１つ以上の細長いリブを備える遠位導管先端部保護ケージ構造と；
を備える、前記導管。
＜項２＞
前記近位導管セグメントと前記遠位導管先端部との間に挿入された遠位導管セグメントをさらに備え、
前記導管の前記近位セグメントの前記遠位端が、前記遠位セグメントの前記近位端に連結され；かつ
前記導管の前記遠位セグメントの前記遠位端が、前記遠位導管先端部の前記近位端に連結される、＜項１＞に記載の導管。
＜項３＞
前記近位導管セグメント及び前記遠位導管セグメントが、以下：
ｉ）摩擦嵌合；
ｉｉ）タケノコ継手；
ｉｉｉ）半径方向圧縮固定器具または固定輪
ｉｖ）１つ以上のタケノコ継手及び半径方向圧縮固定器具もしくは固定輪を備えたインラインコネクタ；または
ｖ）接着剤；
のうちの１つ以上によって接続されている、＜項２＞に記載の導管。
＜項４＞
前記近位導管セグメントまたは前記遠位導管セグメントが、可塑性または弾性のポリマーを含む、＜項１＞または＜項２＞のいずれか１項に記載の導管。
＜項５＞
前記近位導管セグメントまたは前記遠位導管セグメントが、大部分または本質的に可塑性または弾性のポリマーからなる、＜項１＞または＜項２＞のいずれか１項に記載の導管。
＜項６＞
前記可塑性または弾性のポリマーが、ポリウレタンポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタラート、熱可塑性シリコーンポリカーボネートエラストマー、ポリエーテルブロックアミド、及びそれらの組み合わせである、＜項４＞または＜項５＞のいずれか１つに記載の導管。
＜項７＞
前記可塑性または弾性のポリマーが、２０〜８０Ａ、２０〜３０Ａ、３０〜４０Ａ、４０〜５０Ａ、５０〜６０Ａ、６０〜７０Ａ、７０〜８０Ａの範囲のショア硬度を有する、＜項４＞または＜項５＞のいずれか１項に記載の導管。
＜項８＞
前記可塑性または弾性のポリマーが、２０Ａ、２５Ａ、３０Ａ、３５Ａ、４０Ａ、４５Ａ、５０Ａ、５５Ａ、６０Ａ、６５Ａ、７０Ａ、７５Ａまたは８０Ａのショア硬度を有する請求項４または５のいずれか１項に記載の導管。
前記可塑性または弾性のポリマーが、７０Ａのショア硬度のＣａｒｂｏｔｈａｎｅ（登録商標）ＰＣ−３５７５Ａ、または４５Ａもしくは５５Ａのショア硬度を有するＰｏｌｙｂｌｅｎｄ  １１００芳香族ポリウレタンエラストマーアロイである、＜項１＞または＜項２＞のいずれか１項に記載の導管。
＜項９＞
前記近位導管セグメント、前記遠位導管セグメント、ならびに前記近位導管セグメント及び前記遠方導管のセグメントの両方が、金属ワイヤー支持体をさらに備える、＜項１＞、＜項２＞または＜項４＞〜＜項８＞のいずれか１項に記載の導管。
＜項１０＞
金属ワイヤー支持体が、編組、コイル、または螺旋構成であり、円形断面を有しても、または扁平断面を有してもよい、＜項９＞に記載の導管。
＜項１１＞
前記金属ワイヤー支持体が、可塑性または弾性のポリマーの２つの層の間、外面上、または内面上に配置されている、＜項９＞または＜項１０＞のいずれか１項に記載の導管。
＜項１２＞
ワイヤーが、ニチノール、ステンレス鋼、またはそれらの組合わせを含む、＜項９＞または＜項１０＞のいずれか１項に記載の導管。
＜項１３＞
コイル形状に巻かれた前記ニチノールワイヤーが、０．００４〜０．０１２インチ、または０．００８〜０．０１０インチの直径である、＜項１２＞に記載の導管。
＜項１４＞
前記ニチノールワイヤーが、０．０１５〜０．０４インチのピッチまたは０．０２〜０．０３インチのピッチを有するコイル形状で巻かれている、＜項１２＞または＜項１３＞のいずれか１項に記載の導管。
＜項１５＞
編組構成で適用される前記ニチノールワイヤーが、０．００２〜０．００８インチの直径、または０．００４インチの直径である、＜項１２＞に記載の導管。
＜項１６＞
編組構成で適用された前記ニチノールワイヤーが、１つのストランドまたは２つのストランドに適用される、＜項１２＞または＜項１５＞のいずれか１項に記載の導管。
＜項１７＞
前記ステンレス鋼が、３００シリーズ、３０４、３１６、３１６Ｌ、３１６ＬＶＭ、または４００シリーズのステンレス鋼である、＜項１２＞に記載の導管。
＜項１８＞
前記近位導管セグメント、前記遠位導管セグメント、または側方ポートが、１つ以上のクランプを備える、＜項１＞〜＜項１７＞のいずれか１項に記載の導管。
＜項１９＞
編組構成で適用される金属ワイヤー支持体を含む可塑性または弾性のポリマーのセグメント上にクランプが配置される、＜項１８＞に記載の導管。
＜項２０＞
前記近位導管セグメントが、編組ワイヤー支持体を含み、前記遠位導管セグメントがコイルワイヤー支持体を含む、＜項２＞に記載の導管。
＜項２１＞
前記遠位導管先端部が、金属または金属合金を含む、＜項１＞または＜項２＞のいずれか１項に記載の導管。
＜項２２＞
前記遠位導管先端部は、大部分または本質的に、金属または金属合金からなる、＜項１＞または＜項２＞のいずれか１項に記載の導管。
＜項２３＞
前記金属または金属合金が、ステンレス鋼またはチタニウムである、＜項２１＞または＜項２２＞のいずれか１項に記載の導管。
＜項２４＞
前記ステンレス鋼が、３００シリーズ、４００シリーズ、３０４、３１６、３１６Ｌ、または３１６ＬＶＭステンレス鋼である、＜項２３＞に記載の導管。
＜項２５＞
前記遠位導管先端部が、ポリマー、または完全にもしくは部分的に金属化されたポリマーを含む、＜項１＞または＜項２＞のいずれか１項に記載の導管。
＜項２６＞
前記遠位導管先端部が、大部分または本質的に、ポリマー、または完全にもしくは部分的に金属化されたポリマーからなる、＜項１＞または＜項２＞のいずれか１項に記載の導管。
＜項２７＞
ポリマーがポリカーボネートまたはポリエーテルエーテルケトンである、＜項２５＞または＜項２６＞のいずれか１項に記載の導管。
＜項２８＞
前記遠位導管先端部が、２〜１６μｍＲａ、または４〜８μｍＲａの範囲の表面粗さを有する、＜項１＞、＜項２＞または＜項２１＞〜＜項２７＞のいずれか１項に記載の導管。
＜項２９＞
前記遠位導管先端部の遠位開口部が、前記遠位導管先端部の外面から前記遠位導管先端部の内面まで完全に弓形である遠位端面によって画定されている、＜項１＞、＜項２＞または＜２１＞〜＜項２８＞のいずれか１項に記載の導管。
＜項３０＞
前記遠位導管先端部の遠位開口部が、前記遠位導管先端部の壁厚の２５％〜７５％、４０％〜６０％、または５０％に等しい半径を有する弓形面によって画定される遠位端面によって画定される、＜項２９＞に記載の導管。
＜項３１＞
前記遠位端面の前記半径が、０．２５〜１．３ｍｍ、または０．５〜０．６５ｍｍの範囲である、＜項２９＞または＜項３０＞のいずれか１項に記載の導管。
＜項３２＞
前記遠位導管先端部の遠位開口部は、３つ以上のピーク領域と、前記遠位開口部の末梢の周りの３つ以上の谷領域とを含む、＜項１＞、＜項２＞または＜項２１＞〜＜項３１＞のいずれか１項に記載の導管。
＜項３３＞
前記遠位導管先端部の遠位開口部は、遠位開口部の末梢に沿って４つ以上のピーク領域及び４つ以上の谷領域を備える、＜項１＞、＜項２＞または＜項２１＞〜＜項３１＞のいずれか１項に記載の導管。
＜項３４＞
前記遠位導管先端部の前記遠位端面は、概して波状の形状を有する、＜項１＞、＜項２＞、または＜項２１＞〜＜項３１＞のいずれか１項に記載の導管。
＜項３５＞
前記遠位導管先端部の前記遠位端面は、概して正弦曲線外形を有する、＜項１＞、＜項２＞、または＜項２１＞〜＜項３１＞のいずれか１項に記載の導管。
＜項３６＞
前記遠位導管先端部が、前記谷部または前記領域よりも１．５〜３．５、２．０〜３．０、または２．５倍の幅であるピーク部分またはピーク領域によって画定される遠位端面を有する、＜項１＞、＜項２＞または＜項２１＞〜＜項３５＞のいずれか１項に記載の導管。
＜項３７＞
前記遠位導管先端部の前記遠位端面のピーク領域に対する前記遠位導管先端部の前記遠位端面の谷領域の全円弧長の比が、谷部分の１０％または３６度から前記谷部分の９０％または３２４度までの範囲内にあってもよい、＜項１＞、＜項２＞または＜項２１＞〜＜項３６＞のいずれか１項に記載の導管。
＜項３８＞
前記近位導管セグメントまたは前記遠位導管セグメントの前記遠位端が、前記遠位導管先端部の近位端に、以下：
ｉ）摩擦嵌合；
ｉｉ）タケノコ継手；
ｉｉｉ）半径方向圧縮固定器具または固定輪
ｉｖ）１つ以上のタケノコ継手及び半径方向圧縮固定器具もしくは固定輪を備えたインラインコネクタ；または
ｖ）接着剤；
のうちの１つ以上によって接続されている、＜項１＞に記載の導管。
＜項３９＞
前記遠位導管先端部の前記近位部分が、前記遠位導管セグメントの前記遠位端または前記近位導管セグメントの前記遠位端と係合するための前記遠位導管先端部の外面の周りの環状返し部を備える、＜項１＞、＜項２＞または＜項２１＞〜＜項３８＞のいずれか１項に記載の導管。
＜項４０＞
前記遠位導管先端部の前記近位部分が、少なくとも１つの他の環状返し部を画定する、＜項３９＞に記載の導管。
＜項４１＞  
前記遠位導管先端部の前記少なくとも１つの他の環状返し部が、前記環状返し部の近位に配置される、＜項４０＞に記載の導管。
＜項４２＞
前記遠位導管先端部の前記少なくとも１つの他の環状返し部が、前記遠位導管先端部の長手方向軸から、前記第１の環状返し部の角度よりも大きな角度で延在する、＜項４１＞に記載の導管。
＜項４３＞
前記遠位導管先端部の外径及び前記近位導管または前記遠位導管の前記遠位端の外径は、連結されたときにほぼ同じである、＜項１＞、＜項２＞または＜項２１＞〜＜項４２＞のいずれか１項に記載の導管。
＜項４４＞
前記遠位導管先端部が５〜５０ｍｍの全長を有する、＜項１＞、＜項２＞または＜項２１＞〜＜項４３＞のいずれか１項に記載の導管。
＜項４５＞
前記遠位導管先端部の前記近位端が、前記遠位導管先端部の前記全長の２０％〜８０％を占める、＜項４４＞に記載の導管。
＜項４６＞
前記遠位導管先端部の前記近位端が、前記遠位導管先端部の前記全長の２０％、３０％、４０％、５０％、６０％、７０％または８０％を占める、＜項４４＞に記載の導管。
＜項４７＞
前記遠位導管先端部の前記近位端が３〜３０ｍｍの長さを有する、＜項４４＞に記載の導管。
＜項４８＞
前記遠位導管先端部が、２〜１０ｍｍ、３〜６ｍｍ、または３．５〜５．５ｍｍの内径を有する、＜項４４＞に記載の導管。
＜項４９＞
前記遠位導管先端部が４ｍｍの内径を有する、＜項４４＞に記載の導管。
＜項５０＞
遠位開口を形成する前記遠位導管先端部の前記遠位端は、０．５〜８ｍｍの壁厚を有する、＜項４４＞に記載の導管先端部。
＜項５１＞
前記遠位導管先端部保護ケージ構造が、２つ、３つ、４つ、５つ、６つ、７つまたは８つの細長いリブを有する、＜項１＞〜＜項５０＞のいずれか１項に記載の導管。
＜項５２＞
前記遠位導管先端部保護ケージ構造が、ニチノール、ステンレス鋼、弾性ポリマー、またはそれらの組み合わせを含む、＜項１＞〜＜項５１＞のいずれか１項に記載の導管。
＜項５３＞
前記遠位導管先端部保護ケージ構造が、大部分または本質的に、ニチノール、ステンレス鋼、または弾性ポリマーからなる、＜項１＞〜＜項５１＞のいずれか１項に記載の導管。
＜項５４＞
前記ステンレス鋼が３００シリーズ、４００シリーズ、３０４、３１６、３１６Ｌ、または３１６ＬＶＭステンレス鋼である、＜項５２＞または＜項５３＞のいずれか１項に記載の導管。
＜項５５＞
前記遠位導管先端部保護ケージ構造が、２〜１６μｍＲａ、または４〜８μｍＲａの範囲の表面粗さを有する、＜項１＞〜＜項４４＞のいずれか１項に記載の導管。
＜項５６＞
前記遠位導管先端部保護ケージ構造の近位部分が、前記近位導管セグメントもしくは前記遠位導管セグメントの前記遠位部分、前記遠位導管先端部、または前記近位導管セグメントもしくは前記遠位導管セグメントの前記遠位部分及び前記遠位導管先端部の両方に連結されたリング、リング状、冠状またはステント状構造を有する、＜項１＞〜＜項５５＞のいずれか１項に記載の導管。
＜項５７＞
前記遠位導管先端部保護ケージ構造の遠位部分が、前記細長いリブに連結されているリング、リング状、冠状、またはステント状構造を有する、＜項１＞〜＜項５７＞のいずれか１項に記載の導管。
＜項５８＞
細長いリブが、遠位リング、リング状、冠状、またはステント状構造なしで一緒に遠位に連結される、＜項１＞〜＜項５７＞のいずれか１項に記載の導管。
＜項５９＞
細長いリブが一緒に遠位に連結されていない、＜項１＞〜＜項５７＞のいずれか１項に記載の導管。
＜項６０＞
遠位導管先端部保護ケージ構造の前記遠位端が、前記近位導管セグメントまたは前記遠位導管セグメントの長軸に対して平行な軸に沿って平行移動されたとき、前記遠位導管先端部保護ケージ構造が、前記近位導管セグメントまたは前記遠位導管セグメントの前記長軸を横断する軸に沿った寸法で拡張または収縮する、＜項１＞〜＜項５９＞のいずれか１項に記載の導管。
＜項６１＞
遠位導管先端部保護ケージ構造が、前記近位導管セグメントまたは前記遠位導管セグメントの前記長軸を横切る軸に沿って測定されたとき、６〜３０ｍｍの拡張直径を有する、＜項１＞〜＜項６０＞のいずれか１項に記載の導管。
＜項６２＞
遠位導管先端部保護ケージ構造が、前記近位導管セグメントまたは前記遠位導管セグメントの前記長軸を横断する軸に沿って測定されたとき、前記遠位導管先端部の直径よりも１０％〜２５％、２５％〜５０％、５０％〜７５％、７５％〜１００％、１００％〜２００％、または２００％〜４００％以上拡張した直径を有する、＜項６０＞に記載の導管。
＜項６３＞
前記近位導管セグメントまたは前記遠位導管セグメントの前記長軸に平行な軸に沿って測定したとき、拡張遠位導管先端部保護ケージ構造の少なくとも１つのリブが１０〜６０ｍｍの長さを有する、＜項６０＞に記載の導管。
＜項６４＞
拡張遠位導管先端部保護ケージ構造の少なくとも１つのリブが、前記近位導管セグメントまたは前記遠位導管セグメントの前記長軸と平行な軸に沿って測定されたとき、前記遠位導管先端部の長さと同じ長さを有する、＜項６０＞〜＜項６３＞のいずれか１項に記載の導管。
＜項６５＞
拡張遠位導管先端部保護ケージ構造の少なくとも１つのリブが、前記近位導管セグメントまたは前記遠位導管セグメントの前記長軸に平行な軸に沿って測定されたとき、前記遠位導管先端部の長さよりも１０％〜２５％、２５％〜５０％、５０％〜７５％、７５％〜１００％、１００％〜２００％、または２００％〜４００％を超える長さを有する、＜項６０＞から＜項６３＞のいずれか１項に記載の導管。
＜項６６＞
拡張遠位導管先端部保護ケージ構造の少なくとも１つのリブの断面形状が、円形、正方形、長方形、または楕円形である、＜項１＞〜＜項６５＞のいずれか１項に記載の導管。
＜項６７＞
拡張遠位導管先端部保護ケージ構造の少なくとも１つのリブが、０．３〜２．０ｍｍの範囲、または０．６〜１．０ｍｍの範囲の直径または幅を有する、＜項１＞〜＜項６５＞のいずれか１項に記載の導管。
＜項６８＞
前記遠位導管先端部が、前記近位導管セグメントまたは前記遠位導管セグメントの前記長軸に平行な平面上で参照されるように、拡張された前記遠位導管先端部保護ケージの中央に配置される、＜項１＞〜＜項６７＞のいずれか１項に記載の導管。
＜項６９＞
前記遠位導管先端部が、前記近位導管セグメントまたは前記遠位導管セグメントの前記長軸に平行な平面上で参照されるように、拡張された前記遠位導管先端部保護ケージの中央に対して近位に、または遠位に配置される、＜項１＞〜＜項６８＞のいずれか１項に記載の導管。
＜項７０＞
前記遠位導管先端部が、前記近位導管セグメントまたは前記遠位導管セグメントの前記長軸を横断する平面上で参照されるように、拡張された前記遠位導管先端部保護ケージの中央に配置される、＜項１＞〜＜項６７＞のいずれか１項に記載の導管。
＜項７１＞
前記遠位導管先端部が、前記近位導管セグメントまたは前記遠位導管セグメントの前記長軸を横断する平面上で参照されるように、拡張された前記遠位導管先端部保護ケージの中央に対して近位にまたは遠位に配置される、＜項１＞〜＜項６７＞のいずれか１項に記載の導管。
＜項７２＞
前記導管内の流体経路にアクセスするための側方ポートを備える、＜項１＞または＜項２＞のいずれか１項に記載の導管。
＜項７３＞
前記側方ポートセグメントの前記近位端が、ポンプ、または前記近位導管セグメントの前記遠位端を連結するか、またはそれに連結されるように構成されている、＜項７２＞に記載の導管。
＜項７４＞
前記側方ポートセグメントの前記遠位端は、前記近位導管セグメントの前記近位端または前記遠位導管セグメントの前記近位端を連結するか、またはそれに連結されるように構成されている、＜項７２＞に記載の導管。
＜項７５＞
前記連結のための構成または前記連結の方法が、以下：
ｉ）摩擦嵌合；
ｉｉ）タケノコ継手；
ｉｉｉ）半径方向圧縮固定器具または固定輪
ｉｖ）１つ以上のタケノコ継手及び半径方向圧縮固定器具もしくは固定輪を備えたインラインコネクタ；または
ｖ）接着剤、
のうちの１つ以上による、＜項７３＞または＜項７４＞のいずれか１項に記載の導管。
＜項７６＞
前記側方ポートが、以下：
ｉ）硬質ポリマー；
ｉｉ）ポリカーボネートまたはポリエーテルエーテルケトン；
ｉｉｉ）可塑性または弾性のポリマー；
ｉｖ）ポリウレタン、Ｐｅｌｌｅｔｈａｎｅ（登録商標）ポリウレタン、Ｃａｒｂｏｔｈａｎｅ（登録商標）ポリウレタン、ショア硬度７０のＣａｒｂｏｔｈａｎｅ（登録商標）ＰＣ−３５７５Ａ、芳香族ポリウレタンエラストマーアロイ、Ｐｏｌｙｂｌｅｎｄ  １１００芳香族ポリウレタンエラストマーアロイ、４５Ａもしくは５５Ａのショア硬度を有するＰｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド；
ｖ）金属；または
ｖｉ）ステンレス鋼、ニチノール、金、または白金、
のうちの１つ以上を含む、＜項７２＞〜＜項７５＞のいずれか１項に記載の導管。
＜項７７＞
前記側方ポートが、剛性セグメント及び可塑性セグメントを含む、＜項７２＞〜＜項７６＞に記載の導管。
＜項７８＞
前記剛性側方ポートセグメントが、硬質ポリマーを含み、前記可塑性側方ポートセグメントが、可塑性または弾性のポリマーを含む、＜項７７＞に記載の導管。
＜項７９＞
前記剛性側方ポートセグメントが、ポリカーボネートまたはポリエーテルエーテルケトンを含む、＜項７７＞または＜項７８＞のいずれか１項に記載の導管。
＜項８０＞
前記可塑性側方ポートセグメントが、ポリウレタン、Ｐｅｌｌｅｔｈａｎｅ（登録商標）ポリウレタン、Ｃａｒｂｏｔｈａｎｅ（登録商標）ポリウレタン、ショア硬度７０のＣａｒｂｏｔｈａｎｅ（登録商標）ＰＣ−３５７５Ａ、芳香族ポリウレタンエラストマーアロイ、Ｐｏｌｙｂｌｅｎｄ  １１００芳香族ポリウレタンエラストマーアロイ、ショア硬度４５Ａまたは５５ＡのＰｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミドを含む、＜項７７＞または＜項７８＞のいずれか１項に記載の導管。
＜項８１＞
前記可塑性側方ポートセグメントが金属ワイヤー支持体を備える、＜項６９＞〜＜項７２＞のいずれか１項に記載の導管。
＜項８２＞
金属ワイヤー支持体が、編組、コイル、または螺旋構成であり、円形断面を有しても、または扁平断面を有してもよい、＜項８１＞に記載の導管。
＜項８３＞
金属ワイヤー支持体が、可塑性または弾性のポリマーの２つの層の間、外面上または内面上に配置されている、＜項８１＞または＜項８２＞のいずれか１項に記載の導管。
＜項８４＞
ワイヤーが、ニチノール、ステンレス鋼、またはそれらの組み合わせを含む、＜項８１＞〜＜項８３＞のいずれか１項に記載の導管。
＜項８５＞
コイル形状に巻かれた前記ニチノールワイヤーが、０．００４〜０．０１２インチ、または０．００８〜０．０１０インチの直径である、＜項８４＞に記載の導管。
＜項８６＞
前記ニチノールワイヤーが、０．０１５〜０．０４インチのピッチまたは０．０２〜０．０３インチのピッチを有するコイル形状で巻かれている、＜項８４＞または＜項８５＞のいずれか１項に記載の導管。
＜項８７＞
編組構成で適用される前記ニチノールワイヤーが、０．００２〜０．００８インチの直径、または０．００４インチの直径である、＜項８４＞に記載の導管。
＜項８８＞
編組構成で適用された前記ニチノールワイヤーが、１つのストランドまたは２つのストランドに適用される、＜項８４＞または＜項８７＞のいずれか１項に記載の導管。
＜項８９＞
前記ステンレス鋼が、３００シリーズ、３０４、３１６、３１６Ｌ、３１６ＬＶＭ、または４００シリーズのステンレス鋼である、＜項８４＞に記載の導管。
＜項９０＞
可塑性側方ポートセグメントがクランプを備える、＜項７２＞〜＜項８９＞に記載の導管。
＜項９１＞
前記流体経路と流体連通する前記側方ポートの前記部分が、キャップを備える、＜項７２＞に記載の導管。
＜項９２＞
前記キャップが：
ｉ）硬質もしくは剛性であるか；
ｉｉ）可塑性であるか；または
ｉｉｉ）硬い部分と可塑性の部分とを備える、＜項９１＞に記載の導管。
＜項９３＞
前記キャップが、以下：
ｉ）シリンジ先端部が前記キャップ内に挿入されたときに開く止血弁；
ｉｉ）クロスカット膜を有する止血弁；
ｉｉｉ）止血弁を備えたＴｕｏｈｙ  Ｂｏｒｓｔアダプター；及び
ｉｖ）前記側方ポートへの流体の注入を可能にする三方向サイドアーム、
のうちの１つ以上を備える、＜項９１＞または＜項９２＞のいずれか１項に記載の導管。
＜項９４＞
前記キャップが、ねじ付きルアー継手によって前記側方ポートに連結される、＜項９１＞〜＜項９３＞のいずれか１項に記載の導管。
＜項９５＞
近位導管セグメント、遠位導管セグメント、または側方ポートセグメントの一方または両方の端部が、前記導管セグメントの中間セグメントまたは前記側方ポートよりも大きな壁厚を有する、＜項１＞、＜項２＞または＜項７２＞のいずれか１項に記載の導管。
＜項９６＞
近位導管セグメント、遠位導管セグメント、遠位導管先端部、遠位導管先端部保護ケージ構造、または側方ポートの全てまたは一部がさらに、抗血栓性表面コーティングを備える、＜項１＞〜＜項９５＞のいずれか１項に記載の導管。
＜項９７＞
前記コーティングが親水性であり、ヘパリンを含む、＜項９６＞に記載の導管。
＜項９８＞
前記コーティングが、Ａｓｔｕｔｅ（登録商標）またはＡｐｐｌａｕｓｅ（商標）である、＜項９６＞または＜項９７＞のいずれか１項に記載の導管。
＜項９９＞
繊維質である外層の少なくとも一部分、及び前記内面の少なくとも一部分という２つの部分のカフをさらに備え、
前記２つのカフ部分が、近位導管セグメント、遠位導管セグメント、または遠位導管先端部の可塑性近位部分の周囲に互いに付着するように構成されている、＜項１＞または＜項２＞に記載の導管。
＜項１００＞
テクスチャ加工された内面の少なくとも一部は、一連の円周方向に連続するかまたは交互に割り込まれた突起を備える、＜項９９＞に記載の導管。
＜項１０１＞
繊維状外面の少なくとも一部が、ダクロンまたはポリエステルベロアを含む、＜項９９＞または＜項１００＞のいずれか１項に記載の導管。
＜項１０２＞
血液ポンプから静脈または動脈に血液を輸送するための導管であって、
近位端と遠位端とを有する管状本体を備えた可塑性の、圧縮抵抗かつねじれ抵抗の近位セグメントであって、前記管状本体は、前記近位端と前記遠位端との間の導管管腔を画定する、前記近位セグメントと；
近位端と遠位端を有する概して管状の遠位導管先端部であって、
前記遠位導管先端部の前記近位端が、前記近位導管セグメントの前記遠位端に連結される、
前記遠位導管先端部と；
を備え、
前記遠位導管先端部管腔の遠位セグメントの断面積は、前記近位導管先端部管腔または前記遠位先端部の近位セグメントの前記管腔の断面積よりも小さい、
前記導管。
＜項１０３＞
前記近位導管セグメントと前記遠位導管先端部との間に挿入された遠位導管セグメントをさらに備え、
前記導管の前記近位セグメントの前記遠位端が、前記遠位セグメントの近位端に連結され；かつ
前記導管の前記遠位セグメントの遠位端が、前記遠位導管先端部の前記近位端に連結される、＜項１０２＞に記載の導管。
＜項１０４＞
前記近位導管セグメント及び前記遠位導管セグメントが、以下：
ｉ）摩擦嵌合；
ｉｉ）タケノコ継手；
ｉｉｉ）両端にタケノコ継手を備えたインラインコネクタ及び半径方向圧縮固定器具もしくは固定輪；または
ｉｖ）接着剤、
のうちの１つ以上によって接続される、＜項１０３＞に記載の導管。
＜項１０５＞
前記近位導管セグメントまたは前記遠位導管セグメントが可塑性または弾性のポリマーを含む、＜項１０２＞または＜項１０３＞のいずれか１項に記載の導管。
＜項１０６＞
前記近位導管セグメントまたは前記遠位導管セグメントが、大部分または本質的に、可塑性または弾性のポリマーからなる、＜項１０２＞または＜項１０３＞のいずれか１項に記載の導管。
＜項１０７＞
前記可塑性または弾性のポリマーが、ポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド、及びそれらの組み合わせである、＜項１０５＞または＜項１０６＞のいずれか１項に記載の導管。
＜項１０８＞
前記可塑性または弾性のポリマーが、２０〜８０Ａ、２０〜３０Ａ、３０〜４０Ａ、４０〜５０Ａ、５０〜６０Ａ、６０〜７０Ａ、７０〜８０Ａの範囲のショア硬度を有する、＜項１０５＞〜＜項１０７＞のいずれか１項に記載の導管。
＜項１０９＞
前記可塑性または弾性のポリマーが、２０Ａ、２５Ａ、３０Ａ、３５Ａ、４０Ａ、４５Ａ、５０Ａ、５５Ａ、６０Ａ、６５Ａ、７０Ａ、７５Ａまたは８０Ａのショア硬度を有する＜項１０５＞〜＜項１０７＞のいずれか１項に記載の導管。
＜項１１０＞
前記可塑性または弾性のポリマーが、７０Ａのショア硬度のＣａｒｂｏｔｈａｎｅ（登録商標）ＰＣ−３５７５Ａ、または４５Ａもしくは５５Ａのショア硬度を有するＰｏｌｙｂｌｅｎｄ  １１００芳香族ポリウレタンエラストマーアロイである、＜項１０５＞〜＜項１０７＞のいずれか１項に記載の導管。
＜項１１１＞
前記近位導管セグメントまたは前記遠位導管セグメントが、金属ワイヤー支持体をさらに備える、＜項１０５＞〜＜項１１０＞のいずれか１項に記載の導管。
＜項１１２＞
金属ワイヤー支持体が、編組、コイル、または螺旋構成であり、円形断面を有しても、または扁平断面を有してもよい、＜項１１１＞に記載の導管。
＜項１１３＞
前記金属ワイヤー支持体が、可塑性または弾性のポリマーの２つの層の間に配置される、＜項１１１＞または＜項１１２＞のいずれか１項に記載の導管。
＜項１１４＞
ワイヤーが、ニチノールまたはステンレス鋼を含む、＜項１１１＞〜＜項１１３＞のいずれか１項に記載の導管。
＜項１１５＞
コイル形状に巻かれた前記ニチノールワイヤーが、０．００４〜０．０１２インチ、または０．００８〜０．０１０インチの直径である、＜項１１４＞に記載の導管。
＜項１１６＞
前記ニチノールワイヤーが、０．０１５〜０．０４インチのピッチまたは０．０２〜０．０３インチのピッチを有するコイル形状で巻かれている、＜項１１４＞または＜項１１５＞のいずれか１項に記載の導管。
＜項１１７＞
編組構成で適用される前記ニチノールワイヤーが、０．００２〜０．００８インチの直径、または０．００４インチの直径である、＜項１１４＞または＜項１１５＞のいずれか１項に記載の導管。
＜項１１８＞
編組構成で適用された前記ニチノールワイヤーが、１つのストランドまたは２つのストランドに適用される、＜項１１４＞、＜項１１５＞または＜項１１７＞のいずれか１項に記載の導管。
＜項１１９＞
前記ステンレス鋼が、３００シリーズ、４００シリーズ、３０４、３１６、３１６Ｌ、または３１６ＬＶＭステンレス鋼である、＜項１１４＞に記載の導管。
＜項１２０＞
前記近位導管セグメントが、編組ワイヤー支持体を含み、前記遠位導管セグメントがコイルワイヤー支持体を含む、＜項１１１＞〜＜項１１９＞のいずれか１項に記載の導管。
＜項１２１＞
前記近位導管セグメント、前記遠位導管セグメント、または側方ポートが、１つ以上のクランプを備える、＜項１０２＞〜＜項１２０＞のいずれか１項に記載の導管。
＜項１２２＞
編組構成で適用される金属ワイヤー支持体を含む可塑性または弾性のポリマーのセグメント上にクランプが配置される、＜項１２１＞に記載の導管。
＜項１２３＞
前記遠位導管先端部の前記近位端が、以下：
ｉ）摩擦嵌合；
ｉｉ）タケノコ継手；
ｉｉｉ）半径方向圧縮固定器具または固定輪；
ｉｖ）１つ以上のタケノコ継手及び半径方向圧縮固定器具もしくは固定輪を備えたインラインコネクタ；または
ｖ）接着剤、
のうちの１つ以上によって前記導管の前記近位セグメントまたは前記遠位セグメントの前記遠位部分に接続される、＜項１０２＞または＜項１０３＞のいずれか１項に記載の導管。
＜項１２４＞
前記遠位導管先端部の遠位部分の前記管腔の断面積が、前記導管の近位セグメントまたは遠位セグメントの前記管腔の断面積よりも５０％〜６０％、６０％〜７０％、７０〜８０％、または８０〜９０％小さい、＜項１０２＞または＜項１０３＞に記載の導管。
＜項１２５＞
前記遠位導管先端部の遠位部分の前記管腔の直径が、前記導管の近位セグメントまたは遠位セグメントの前記管腔の直径よりも５０％〜６０％、６０％〜７０％、７０〜８０％、または８０〜９０％小さい、＜項１０２＞または＜項１０３＞に記載の導管。
＜項１２６＞
前記遠位導管先端部の遠位部分の前記管腔の直径が１．０〜３．５ｍｍであり、前記導管の前記近位セグメントまたは前記遠位セグメントの前記管腔の直径が３．０〜５．０ｍｍまたは３．０〜６．０である、＜項１０２＞、＜項１０３＞、または＜項１２５＞のいずれか１項に記載の導管。
＜項１２７＞
前記遠位導管先端部の遠位部分の前記管腔の断面積が、前記遠位導管先端部の近位部分の前記管腔の断面積よりも５０％〜６０％、６０％〜７０％、７０〜８０％、または８０〜９０％小さい、＜項１０２＞または＜項１０３＞に記載の導管。
＜項１２８＞
遠位導管先端部の遠位部分の前記管腔の直径が、前記遠位導管の前記近位部分の前記管腔の直径よりも５０％〜６０％、６０％〜７０％、７０〜８０％、または８０〜９０％小さい、＜項１０２＞または＜項１０３＞に記載の導管。
＜項１２９＞
前記導管の遠位部分の前記管腔の直径が１．０〜３．０ｍｍであり、前記遠位導管の前記近位部分の前記管腔の直径が３．０〜５．０ｍｍまたは３．０〜６．０ｍｍである、＜項１０２＞、＜項１０３＞または＜項１２８＞のいずれか１項に記載の導管。
＜項１３０＞
１５０ｍＬ／分以上、２００ｍＬ／分以上、２５０ｍＬ／分以上、３００ｍＬ／分以上、３５０ｍＬ／分以上、４００ｍＬ／分以上、４５０ｍＬ／分以上、５００ｍＬ／分以上、５５０ｍＬ／分以上、または６００ｍＬ／分以上の流量で操作する場合、前記導管の前記遠位端を出ていく血液が、前記導管の前記近位端に入っていく血液よりも５０％、１００％、１５０％、２００％、２５０％、３００％、３５０％、４００％、４５０％または５００％高い平均速度を有する、＜項１２４＞〜＜項１２９＞のいずれか１項に記載の導管。
＜項１３１＞
作動時に、遠位導管の遠位端から出ていく血液がジェット効果によってさらに画定される、＜項１２４＞〜＜項１３０＞のいずれか１項に記載の導管。
＜項１３２＞
前記遠位導管先端部が、金属または金属合金を含む、＜項１０２＞または＜項１０３＞に記載の導管。
＜項１３３＞
前記遠位導管先端部が、大部分または本質的に、金属または金属合金からなる、＜項１０２＞または＜項１０３＞のいずれか１項に記載の導管。
＜項１３４＞
前記金属または金属合金が、ステンレス鋼、チタニウム、ニチノール、金、または白金である、＜項１３２＞または＜項１３３＞のいずれか１項に記載の導管。
＜項１３５＞
前記ステンレス鋼が、３００シリーズ、３０４、３１６、３１６Ｌ、３１６ＬＶＭ、または４００シリーズステンレス鋼である、＜項１３４＞に記載の導管。
＜項１３６＞
前記遠位導管先端部が、ポリマー、または完全にもしくは部分的に金属化されたポリマーを含む、＜項１０２＞または＜項１０３＞のいずれか１項に記載の導管。
＜項１３７＞
前記遠位導管先端部は、大部分または本質的に、ポリマー、または完全にもしくは部分的に金属化されたポリマーからなる、＜項１０２＞または＜項１０３＞のいずれか１項に記載の導管。
＜項１３８＞
ポリマーがポリカーボネートまたはポリエーテルエーテルケトンである、＜項１３６＞または＜項１３７＞のいずれか１項に記載の導管。
＜項１３９＞
前記遠位導管先端部が、可塑性または弾性のポリマーを含む、＜項１０２＞または＜項１０３＞のいずれか１項に記載の導管。
＜項１４０＞
前記遠位導管先端部が、大部分または本質的に、可塑性または弾性のポリマーからなる、＜項１０２＞または＜項１０３＞のいずれか１項に記載の導管。
＜項１４１＞
前記可塑性または弾性のポリマーが、ポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド、及びそれらの組み合わせである、＜項１３９＞または＜項１４０＞のいずれか１項に記載の導管。
＜項１４２＞
前記可塑性または弾性のポリマーが、２０〜８０Ａ、２０〜３０Ａ、３０〜４０Ａ、４０〜５０Ａ、５０〜６０Ａ、６０〜７０Ａ、７０〜８０Ａの範囲のショア硬度を有する、＜項４＞または＜項１３９＞〜＜項１４１＞のいずれか１項に記載の導管。
＜項１４３＞
前記可塑性または弾性のポリマーが、２０Ａ、２５Ａ、３０Ａ、３５Ａ、４０Ａ、４５Ａ、５０Ａ、５５Ａ、６０Ａ、６５Ａ、７０Ａ、７５Ａまたは８０Ａのショア硬度を有する＜項１３９＞〜＜項１４１＞のいずれか１項に記載の導管。
＜項１４４＞
前記可塑性または弾性のポリマーが、７０Ａのショア硬度のＣａｒｂｏｔｈａｎｅ（登録商標）ＰＣ−３５７５Ａ、または４５Ａもしくは５５Ａのショア硬度を有するＰｏｌｙｂｌｅｎｄ  １１００芳香族ポリウレタンエラストマーアロイである、＜項１３９＞〜＜項１４１＞のいずれか１項に記載の導管。
＜項１４５＞
前記遠位導管先端部が、金属ワイヤー支持体をさらに備える、＜項１３９＞〜＜項１４４＞のいずれか１項に記載の導管。
＜項１４６＞
金属ワイヤー支持体が、編組、コイル、または螺旋構成である、＜項１４５＞に記載の導管。
＜項１４７＞
ワイヤーが、ニチノールまたはステンレス鋼を含む、＜項１４５＞または＜項１４６＞のいずれか１項に記載の導管。
＜項１４８＞
コイル形状に巻かれた前記ニチノールワイヤーが、０．００４〜０．０１２インチ、または０．００８〜０．０１０インチの直径である、＜項１４７＞に記載の導管。
＜項１４９＞
前記ニチノールワイヤーが、０．０１５〜０．０４インチのピッチまたは０．０２〜０．０３インチのピッチを有するコイル形状で巻かれている、＜項１４７＞及び＜項１４８＞のいずれか１項に記載の導管。
＜項１５０＞
編組構成で適用される前記ニチノールワイヤーが、０．００２〜０．００８インチの直径、または０．００４インチの直径である、＜項１４７＞に記載の導管。
＜項１５１＞
編組構成で適用された前記ニチノールワイヤーが、１つのストランドまたは２つのストランドに適用される、＜項１４７＞または＜項１５０＞のいずれか１項に記載の導管。
＜項１５２＞
前記ステンレス鋼が、３００シリーズ、４００シリーズ、３０４、３１６、３１６Ｌ、または３１６ＬＶＭステンレス鋼である、＜項１４７＞に記載の導管。
＜項１５３＞
前記遠位導管先端部が、以下：
ｉ）金属；
ｉｉ）ステンレス鋼、チタニウム、金、白金、またはニチノール；
ｉｉｉ）硬質ポリマー；
ｉｖ）ポリカーボネートまたはポリエーテルエーテルケトン；
ｖ）可塑性または弾性のポリマー；
ｖｉ）ポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド、
のうちの１つ以上を含む、＜項１０２＞または＜項１０３＞に記載の導管。
＜項１５４＞
前記遠位導管先端部の内面、外面、または内面及び外面の両方が、２〜１６μｍＲａ、または４〜８μｍＲａの範囲の表面粗さを有する、＜項１０２＞〜＜項１５３＞のいずれか１項に記載の導管。
＜項１５５＞
前記遠位導管先端部の前記遠位セグメントの前記遠位端が、全半径であり、かつ前記外面から前記内面へ完全に弓形である、＜項１０２＞〜＜項１５４＞のいずれか１項に記載の導管。
＜項１５６＞
遠位導管先端部の遠位端分がタケノコ継手を備える、＜項１０２＞から＜項１５５＞のいずれか１項に記載の導管。
＜項１５７＞
前記導管内の流体経路にアクセスするための側方ポートを備える、＜項１０２＞または＜項１０３＞のいずれか１項に記載の導管。
＜項１５８＞
前記側方ポートセグメントの前記近位端が、ポンプ、または前記近位導管セグメントの前記遠位端を連結するか、またはそれに連結されるように構成されている、＜項１５７＞に記載の導管。
＜項１５９＞
前記側方ポートセグメントの前記遠位端は、近位導管セグメントの前記近位端または遠位導管セグメントの前記近位端を接続するか、またはそれに接続されるように構成されている、＜項１５７＞に記載の導管。
＜項１６０＞
連結のための前記構成または連結の前記方法が、以下：
ｉ）摩擦嵌合；
ｉｉ）タケノコ継手；
ｉｉｉ）半径方向圧縮固定器具または固定輪；
ｉｖ）１つ以上のタケノコ継手及び半径方向圧縮固定器具もしくは固定輪を備えたインラインコネクタ；または
ｖ）接着剤；
のうちの１つ以上による、＜項１５７＞または＜項１５９＞のいずれか１項に記載の導管。
＜項１６１＞
前記側方ポートが、剛性セグメント及び可塑性セグメントを含む、＜項１５７＞に記載の導管。
＜項１６２＞
前記剛性側方ポートセグメントが、硬質ポリマーを含み、前記可塑性側方ポートセグメントが、可塑性または弾性のポリマーを含む、＜項１６１＞に記載の導管。
＜項１６３＞
前記可塑性側方ポートセグメントがポリウレタンを含む、＜項１６１＞または＜項１６２＞のいずれか１項に記載の導管。
＜項１６４＞
前記可塑性側方ポートセグメントが編組もしくはコイルワイヤー支持体、またはそれらの組み合わせを備える、＜項１６１＞〜＜項１６３＞のいずれか１項に記載の導管。
＜項１６５＞
前記可塑性側方ポートセグメントの前記網組または前記コイルワイヤー支持体がニチノールを含む、＜項１６４＞に記載の導管。
＜項１６６＞
前記可塑性側方ポートセグメントがクランプを備える、＜項１５７＞〜＜項１６５＞のいずれか１項に記載の導管。
＜項１６７＞
前記流体経路と流体連通する前記側方ポートの部分が、キャップを備える、＜項１５７＞に記載の導管。
＜項１６８＞
前記キャップが：
ｉｖ）硬質もしくは剛性であるか；
ｖ）可塑性であるか；または
ｖｉ）硬い部分と可塑性の部分とを備える、＜項１６７＞に記載の導管。
＜項１６９＞
前記キャップが、以下：
ｖ）シリンジ先端部が前記キャップ内に挿入されたときに開く止血弁；
ｖｉ）クロスカット膜を有する止血弁；
ｖｉｉ）止血弁を備えたＴｕｏｈｙ  Ｂｏｒｓｔアダプター；及び
ｖｉｉｉ）前記側方ポートへの流体の注入を可能にする三方向サイドアーム、
のうちの１つ以上を備える、＜項１６７＞または＜項１６８＞のいずれか１項に記載の導管。
＜項１７０＞
前記キャップが、ねじ付きルアー継手によって前記側方ポートに連結される、＜項１６７＞〜＜項１６９＞のいずれか１項に記載の導管。
＜項１７１＞
近位導管セグメント、遠位導管セグメント、または側方ポートセグメントの一方または両方の端部が、前記導管セグメントの中間セグメントまたは前記側方ポートよりも大きな壁厚を有する、＜項８１＞、＜項８３＞または＜項１３６＞のいずれか１項に記載の導管。
＜項１７２＞
近位導管セグメント、遠位導管セグメント、遠位導管先端部、または側方ポートの全てまたは一部がさらに、抗血栓性表面コーティングを備える、＜項１０２＞〜＜項１７１＞のいずれか１項に記載の導管。
＜項１７３＞
前記コーティングが親水性であり、ヘパリンを含む、＜項１７２＞に記載の導管。
＜項１７４＞
前記コーティングが、Ａｓｔｕｔｅ（登録商標）またはＡｐｐｌａｕｓｅ（商標）である、＜項１７２＞または＜項１７３＞のいずれか１項に記載の導管。
＜項１７５＞
繊維質である外層の少なくとも一部分、及び前記内面の少なくとも一部分という２つの部分のカフをさらに備え、
前記２つのカフ部分が、近位導管セグメント、遠位導管セグメント、または遠位導管先端部の可塑性近位部分の周囲に互いに付着するように構成されている、＜項１０２＞または＜項１０３＞のいずれか１項に記載の導管。
＜項１７６＞
テクスチャ加工された内面の少なくとも一部が、一連の円周方向に連続するかまたは交互に割り込まれた突起を備える、＜項１７５＞に記載のカフ。
＜項１７７＞
繊維状外面の少なくとも一部が、ダクロンまたはポリエステルベロアを含む、＜項１７５＞または＜項１７６＞のいずれか１項に記載のカフ。
＜項１７８＞
血液ポンプから静脈または動脈に血液を輸送するための導管であって、
近位端と遠位端とを有する管状本体を備えた可塑性の、圧縮抵抗かつねじれ抵抗の近位セグメントであって、前記管状本体は、前記近位端と前記遠位端との間の導管管腔を画定する、前記近位セグメントと；
近位セグメント及び遠位セグメントを備える、概して管状の遠位導管先端部であって；
前記遠位導管先端部の前記近位端は、前記近位導管セグメントの前記遠位端に連結され；
前記第２の遠位導管先端部の前記遠位セグメントが、２つの遠位端部を有し；
前記遠位導管先端部の前記遠位部分の前記管腔の断面積は、前記近位導管セグメントの前記管腔または前記遠位導管先端部の前記近位セグメントの前記管腔の断面積よりも小さい、
前記遠位導管先端部と、
を備える、前記導管。
＜項１７９＞
前記遠位導管先端部の前記近位セグメントが、前記遠位導管先端部の前記遠位セグメントと斜めの角度で交差する、＜項１７８＞に記載の導管。
＜項１８０＞
前記遠位導管先端部の前記近位セグメントが、前記遠位導管先端部の前記遠位セグメントと鋭角で交差する、＜項１７８＞に記載の導管。
＜項１８１＞
前記遠位導管先端部の前記近位セグメントが、前記遠位導管先端部の前記遠位セグメントと１５〜９０度の範囲の角度で交差する、＜項１７８＞に記載の導管。
＜項１８２＞
前記遠位導管先端部の前記近位セグメントが、前記遠位導管先端部の前記遠位セグメントと９０度の角度で交差する、＜項１７８＞に記載の導管。
＜項１８３＞
前記遠位導管先端部の前記近位セグメントと前記遠位導管先端部の前記遠位セグメントの逆向き部分との間の角度が、１５〜７５度の範囲であるか、３０度であるか、または４５度である、＜項１７８＞に記載の導管。
＜項１８４＞
前記近位導管セグメントと前記遠位導管先端部との間に挿入された遠位導管セグメントをさらに備え、
前記導管の前記近位セグメントの前記遠位端が、前記遠位セグメントの前記近位端に連結され；かつ
前記導管の前記遠位セグメントの前記遠位端が、前記遠位導管先端部の前記近位端に連結される、＜項１７８＞に記載の導管。
＜項１８５＞
前記近位導管セグメント及び前記遠位導管セグメントが、以下：
ｖ）摩擦嵌合；
ｖｉ）タケノコ継手；
ｖｉｉ）両端にタケノコ継手を備えたインラインコネクタ及び半径方向圧縮固定器具もしくは固定輪；または
ｖｉｉｉ）接着剤；
のうちの１つ以上によって接続されている、＜項１８４＞に記載の導管。
＜項１８６＞
前記近位導管セグメントまたは前記遠位導管セグメントが、可塑性または弾性のポリマーを含む、＜項１７８＞または＜項１８４＞のいずれか１項に記載の導管。
＜項１８７＞
前記近位導管セグメントまたは前記遠位導管セグメントが、大部分または本質的に、可塑性または弾性のポリマーからなる、＜項１７８＞または＜項１８４＞のいずれか１項に記載の導管。
＜項１８８＞
前記可塑性または弾性のポリマーが、ポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド、及びそれらの組み合わせである、＜項１８６＞または＜項１８７＞のいずれか１項に記載の導管。
＜項１８９＞
前記可塑性または弾性のポリマーが、２０〜８０Ａ、２０〜３０Ａ、３０〜４０Ａ、４０〜５０Ａ、５０〜６０Ａ、６０〜７０Ａ、７０〜８０Ａの範囲のショア硬度を有する、＜項１８６＞〜＜項１８８＞のいずれか１項に記載の導管。
＜項１９０＞
前記可塑性または弾性のポリマーが、２０Ａ、２５Ａ、３０Ａ、３５Ａ、４０Ａ、４５Ａ、５０Ａ、５５Ａ、６０Ａ、６５Ａ、７０Ａ、７５Ａまたは８０Ａのショア硬度を有する＜項１８６＞〜＜項１８８＞のいずれか１項に記載の導管。
＜項１９１＞
前記可塑性または弾性のポリマーが、７０Ａのショア硬度のＣａｒｂｏｔｈａｎｅ（登録商標）ＰＣ−３５７５Ａ、または４５Ａもしくは５５Ａのショア硬度を有するＰｏｌｙｂｌｅｎｄ  １１００芳香族ポリウレタンエラストマーアロイである、＜項１８６＞〜＜項１８８＞のいずれか１項に記載の導管。
＜項１９２＞
前記近位導管セグメントまたは前記遠位導管セグメントが、金属ワイヤー支持体をさらに備える、＜項１８６＞〜＜項１９１＞のいずれか１項に記載の導管。
＜項１９３＞
金属ワイヤー支持体が、編組、コイル、または螺旋構成であり、円形断面を有しても、または扁平断面を有してもよい、＜項１９２＞に記載の導管。
＜項１９４＞
前記金属ワイヤー支持体が、可塑性または弾性のポリマーの２つの層の間に配置される、＜項１９２＞または＜項１９３＞のいずれか１項に記載の導管。
＜項１９５＞
ワイヤーが、ニチノールまたはステンレス鋼を含む、＜項１９２＞〜＜項１９４＞のいずれか１項に記載の導管。
＜項１９６＞
コイル形状に巻かれた前記ニチノールワイヤーが、０．００４〜０．０１２インチ、または０．００８〜０．０１０インチの直径である、＜項１９５＞に記載の導管。
＜項１９７＞
前記ニチノールワイヤーが、０．０１５〜０．０４インチのピッチまたは０．０２〜０．０３インチのピッチを有するコイル形状で巻かれている、＜項１９５＞または＜項１９６＞のいずれか１項に記載の導管。
＜項１９８＞
編組構成で適用される前記ニチノールワイヤーが、０．００２〜０．００８インチの直径、または０．００４インチの直径である、＜項１９５＞または＜項１９６＞のいずれか１項に記載の導管。
＜項１９９＞
編組構成で適用された前記ニチノールワイヤーが、１つのストランドまたは２つのストランドに適用される、＜項１９５＞、＜項１９６＞または＜項１１７＞のいずれか１項に記載の導管。
＜項２００＞
前記ステンレス鋼が、３００シリーズ、４００シリーズ、３０４、３１６、３１６Ｌ、または３１６ＬＶＭステンレス鋼である、＜項１９５＞に記載の導管。
＜項２０１＞
前記近位導管セグメントが、編組ワイヤー支持体を含み、前記遠位導管セグメントがコイルワイヤー支持体を含む、＜項１９２＞〜＜項２００＞のいずれか１項に記載の導管。
＜項２０２＞
前記近位導管セグメント、前記遠位導管セグメント、または側方ポートが、１つ以上のクランプを備える、＜項１７８＞〜＜項２０１＞のいずれか１項に記載の導管。
＜項２０３＞
編組構成で適用される金属ワイヤー支持体を含む可塑性または弾性のポリマーのセグメント上にクランプが配置される、＜項２０２＞に記載の導管。
＜項２０４＞
前記遠位導管先端部の前記近位端が、以下：
ｖｉ）摩擦嵌合；
ｖｉｉ）タケノコ継手；
ｖｉｉｉ）半径方向圧縮固定器具または固定輪；
ｉｘ）１つ以上のタケノコ継手及び半径方向圧縮固定器具もしくは固定輪を備えたインラインコネクタ；または
ｘ）接着剤；
のうちの１つ以上によって前記導管の前記近位セグメントまたは前記遠位セグメントの前記遠位部分に接続される、＜項１７８＞または＜項１８４＞のいずれか１項に記載の導管。
＜項２０５＞
前記遠位導管先端部の遠位端の前記管腔の断面積が、前記導管の近位セグメントまたは遠位セグメントの前記管腔の断面積よりも５０％〜６０％、６０％〜７０％、７０〜８０％、または８０〜９０％小さい、＜項１７８＞または＜項１８４＞に記載の導管。
＜項２０６＞
前記遠位導管先端部の前記端部の管腔の直径が、前記導管の近位セグメントまたは遠位セグメントの前記管腔の直径よりも５０％〜６０％、６０％〜７０％、７０〜８０％、または８０〜９０％小さい、＜項１７８＞または＜項１８４＞に記載の導管。
＜項２０７＞
前記遠位導管先端部の前記遠位端の前記管腔の直径が１．０〜３．５ｍｍであり、前記導管の前記近位セグメントまたは前記遠位セグメントの前記管腔の直径が３．０〜５．０ｍｍまたは３．０〜６．０である、＜項１７８＞、＜項１８４＞、または＜項２０６＞のいずれか１項に記載の導管。
＜項２０８＞
前記遠位導管先端部の前記遠位端の前記管腔の断面積が、前記遠位導管先端部の近位部分の前記管腔の断面積よりも５０％〜６０％、６０％〜７０％、７０〜８０％、または８０〜９０％小さい、＜項１７８＞または＜項１８４＞に記載の導管。
＜項２０９＞
前記遠位導管先端部の遠位端の前記管腔の直径が、前記遠位導管の前記近位部分の前記管腔の直径よりも５０％〜６０％、６０％〜７０％、７０〜８０％、または８０〜９０％小さい、＜項１７８＞または＜項１８４＞に記載の導管。
＜項２１０＞
前記導管先端部の前記遠位端の前記管腔の直径が１．０〜３．０ｍｍであり、前記遠位導管の前記近位部分の前記管腔の直径が３．０〜５．０ｍｍまたは３．０〜６．０ｍｍである、＜項１７８＞、＜項１８４＞または＜項２０９＞のいずれか１項に記載の導管。
＜項２１１＞
１５０ｍＬ／分以上、２００ｍＬ／分以上、２５０ｍＬ／分以上、３００ｍＬ／分以上、３５０ｍＬ／分以上、４００ｍＬ／分以上、４５０ｍＬ／分以上、５００ｍＬ／分以上、５５０ｍＬ／分以上、または６００ｍＬ／分以上の流量で操作する場合、前記導管の前記遠位端を出ていく血液が、前記導管の前記近位端に入っていく血液よりも５０％、１００％、１５０％、２００％、２５０％、３００％、３５０％、４００％、４５０％または５００％高い平均速度を有する、＜項２０５＞〜＜項２１０＞のいずれか１項に記載の導管。
＜項２１２＞
作動時に、遠位導管の遠位端から出ていく血液がジェット効果によってさらに画定される、＜項２０５＞〜＜項２１１＞のいずれか１項に記載の導管。
＜項２１３＞
前記遠位導管先端部が、金属または金属合金を含む、＜項１７８＞または＜項１８４＞に記載の導管。
＜項２１４＞
前記遠位導管先端部が、大部分または本質的に、金属または金属合金からなる、＜項１７８＞または＜項１８４＞に記載の導管。
＜項２１５＞
前記金属または金属合金が、ステンレス鋼、チタン、ニチノール、金、または白金である、＜項２１３＞または＜項２１４＞のいずれか１項に記載の導管。
＜項２１６＞
前記ステンレス鋼が、３００シリーズ、３０４、３１６、３１６Ｌ、３１６ＬＶＭ、または４００シリーズのステンレス鋼である、＜項２１５＞に記載の導管。
＜項２１７＞
前記遠位導管先端部が、ポリマー、または完全にもしくは部分的に金属化されたポリマーを含む、＜項１７８＞または＜項１８４＞のいずれか１項に記載の導管。
＜項２１８＞
前記遠位導管先端部は、大部分または本質的に、ポリマー、または完全にもしくは部分的に金属化されたポリマーからなる、＜項１７８＞または＜項１８４＞のいずれか１項に記載の導管。
＜項２１９＞
ポリマーがポリカーボネートまたはポリエーテルエーテルケトンである、＜項２１７＞または＜項２１８＞のいずれか１項に記載の導管。
＜項２２０＞
前記遠位導管先端部が、可塑性または弾性のポリマーを含む、＜項１７８＞または＜項１８４＞のいずれか１項に記載の導管。
＜項２２１＞
前記遠位導管先端部が、大部分または本質的に、可塑性または弾性のポリマーからなる、＜項１７８＞または＜項１８４＞のいずれか１項に記載の導管。
＜項２２２＞
前記可塑性または弾性のポリマーが、ポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド、及びそれらの組み合わせである、＜項２２０＞または＜項２２１＞のいずれか１項に記載の導管。
＜項２２３＞
前記可塑性または弾性のポリマーが、２０〜８０Ａ、２０〜３０Ａ、３０〜４０Ａ、４０〜５０Ａ、５０〜６０Ａ、６０〜７０Ａ、７０〜８０Ａの範囲のショア硬度を有する、＜項２２０＞〜＜項２２２＞のいずれか１項に記載の導管。
＜項２２４＞
前記可塑性または弾性のポリマーが、２０Ａ、２５Ａ、３０Ａ、３５Ａ、４０Ａ、４５Ａ、５０Ａ、５５Ａ、６０Ａ、６５Ａ、７０Ａ、７５Ａまたは８０Ａのショア硬度を有する＜項２２０＞〜＜項２２２＞のいずれか１項に記載の導管。
＜項２２５＞
前記可塑性または弾性のポリマーが、７０Ａのショア硬度のＣａｒｂｏｔｈａｎｅ（登録商標）ＰＣ−３５７５Ａ、または４５Ａもしくは５５Ａのショア硬度を有するＰｏｌｙｂｌｅｎｄ  １１００芳香族ポリウレタンエラストマーアロイである、＜項２２０＞〜＜項２２２＞のいずれか１項に記載の導管。
＜項２２６＞
前記遠位導管先端部が、金属ワイヤー支持体をさらに備える、＜項２２０＞〜＜項２２５＞のいずれか１項に記載の導管。
＜項２２７＞
金属ワイヤー支持体が、編組、コイル、または螺旋構成である、＜項２２６＞に記載の導管。
＜項２２８＞
ワイヤーが、ニチノールまたはステンレス鋼を含む、＜項２２６＞または＜項２２７＞のいずれか１項に記載の導管。
＜項２２９＞
コイル形状に巻かれた前記ニチノールワイヤーが、０．００４〜０．０１２インチ、または０．００８〜０．０１０インチの直径である、＜項２２８＞に記載の導管。
＜項２３０＞
前記ニチノールワイヤーが、０．０１５〜０．０４インチのピッチまたは０．０２〜０．０３インチのピッチを有するコイル形状で巻かれている、＜項２２８＞または＜項２２９＞のいずれか１項に記載の導管。
＜項２３１＞
編組構成で適用される前記ニチノールワイヤーが、０．００２〜０．００８インチの直径、または０．００４インチの直径である、＜項２２８＞に記載の導管。
＜項２３２＞
編組構成で適用された前記ニチノールワイヤーが、１つのストランドまたは２つのストランドに適用される、＜項２２８＞及び＜項２３１＞のいずれか１項に記載の導管。
＜項２３３＞
前記ステンレス鋼が、３００シリーズ、４００シリーズ、３０４、３１６、３１６Ｌ、または３１６ＬＶＭステンレス鋼である、＜項２２８＞に記載の導管。
＜項２３４＞
前記遠位導管先端部が、以下：
ｖｉｉ）金属；
ｖｉｉｉ）ステンレス鋼、チタニウム、金、白金、またはニチノール；
ｉｘ）硬質ポリマー；
ｘ）ポリカーボネートまたはポリエーテルエーテルケトン；
ｘｉ）可塑性または弾性のポリマー；
ｘｉｉ）ポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド、
のうちの１つ以上を含む、＜項１７８＞または＜項１８４＞に記載の導管。
＜項２３５＞
前記遠位導管先端部の内面、外面、または内面及び外面の両方が、２〜１６μｍＲａ、または４〜８μｍＲａの範囲の表面粗さを有する、＜項１７８＞〜＜項２３４＞のいずれか１項に記載の導管。
＜項２３６＞
前記遠位導管先端部の前記遠位セグメントの前記遠位端が、全半径を有し、かつ前記外面から前記内面へ完全に弓形である、＜項１７８＞〜＜項２３５＞のいずれか１項に記載の導管。
＜項２３７＞
遠位導管先端部の遠位端分がタケノコ継手を備える、＜項１７８＞〜＜項２３６＞のいずれか１項に記載の導管。
＜項２３８＞
前記導管内の流体経路にアクセスするための側方ポートを備える、＜項１７８＞または＜項１８４＞のいずれか１項に記載の導管。
＜項２３９＞
前記側方ポートセグメントの前記近位端が、ポンプ、または前記近位導管セグメントの前記遠位端を連結するか、またはそれに連結されるように構成されている、＜項２３８＞に記載の導管。
＜項２４０＞
前記側方ポートセグメントの前記遠位端は、近位導管セグメントの前記近位端または遠位導管セグメントの前記近位端を接続するか、またはそれに接続されるように構成されている、＜項２３８＞に記載の導管。
＜項２４１＞
連結のための前記構成または連結の前記方法が、以下：
ｖｉ）摩擦嵌合；
ｖｉｉ）タケノコ継手；
ｖｉｉｉ）半径方向圧縮固定器具または固定輪；
ｉｘ）１つ以上のタケノコ継手及び半径方向圧縮固定器具もしくは固定輪を備えたインラインコネクタ；または
ｘ）接着剤；
のうちの１つ以上による、＜項２３８＞または＜項２４０＞のいずれか１項に記載の導管。
＜項２４２＞
前記側方ポートが、剛性セグメント及び可塑性セグメントを含む、＜項２３８＞に記載の導管。
＜項２４３＞
前記剛性側方ポートセグメントが、硬質ポリマーを含み、前記可塑性側方ポートセグメントが、可塑性または弾性のポリマーを含む、＜項２４２＞に記載の導管。
＜項２４４＞
前記可塑性側方ポートセグメントがポリウレタンを含む、＜項２４２＞または＜項２４３＞のいずれか１項に記載の導管。
＜項２４５＞
前記可塑性側方ポートセグメントが編組もしくはコイルワイヤー支持体、またはそれらの組み合わせを備える、＜項２４２＞〜＜項２４４＞のいずれか１項に記載の導管。
＜項２４６＞
前記可塑性側方ポートセグメントの前記網組または前記コイルワイヤー支持体がニチノールを含む、＜項２４５＞に記載の導管。
＜項２４７＞
前記可塑性側方ポートセグメントがクランプを備える、＜項１５７＞〜＜項１６５＞のいずれか１項に記載の導管。
＜項２４８＞
前記流体経路と流体連通する前記側方ポートの部分が、キャップを備える、＜項１５７＞に記載の導管。
＜項２４９＞
前記キャップが：
ｖｉｉ）硬質もしくは剛性であるか；
ｖｉｉｉ）可塑性であるか；または
ｉｘ）硬い部分と可塑性の部分とを備える、＜項１６７＞に記載の導管。
＜項２５０＞
前記キャップが、以下：
ｉｘ）シリンジ先端部が前記キャップ内に挿入されたときに開く止血弁；
ｘ）クロスカット膜を有する止血弁；
ｘｉ）止血弁を備えたＴｕｏｈｙ  Ｂｏｒｓｔアダプター；及び
ｘｉｉ）前記側方ポートへの流体の注入を可能にする三方向サイドアーム、
のうちの１つ以上を備える、＜項１６７＞または＜項１６８＞のいずれか１項に記載の導管。
＜項２５１＞
前記キャップが、ねじ付きルアー継手によって前記側方ポートに連結される、＜項１６７＞〜＜項１６９＞のいずれか１項に記載の導管。
＜項２５２＞
近位導管セグメント、遠位導管セグメント、または側方ポートセグメントの一方または両方の端部が、前記導管セグメントの中間セグメントまたは前記側方ポートよりも大きな壁厚を有する、＜項８１＞、＜項８３＞または＜項１３６＞のいずれか１項に記載の導管。
＜項２５３＞
近位導管セグメント、遠位導管セグメント、遠位導管先端部、または側方ポートの全てまたは一部がさらに、抗血栓性表面コーティングを備える、＜項１７８＞〜＜項２５２＞のいずれか１項に記載の導管。
＜項２５４＞
前記コーティングが親水性であり、ヘパリンを含む、＜項２５３＞に記載の導管。
＜項２５５＞
前記コーティングが、Ａｓｔｕｔｅ（登録商標）またはＡｐｐｌａｕｓｅ（商標）である、＜項２５３＞または＜項２５４＞のいずれか１項に記載の導管。
＜項２５６＞
繊維質である外層の少なくとも一部分、及び前記内面の少なくとも一部分という２つの部分のカフをさらに備え、
前記２つのカフ部分が、近位導管セグメント、遠位導管セグメント、または遠位導管先端部の可塑性近位部分の周囲に互いに付着するように構成されている、＜項１７８＞または＜項１８４＞のいずれか１項に記載の導管。
＜項２５７＞
テクスチャ加工された内面の少なくとも一部は、一連の円周方向に連続するかまたは交互に割り込まれた突起を備える、＜項２５６＞に記載のカフ。
＜項２５８＞
繊維状外面の少なくとも一部が、ダクロンまたはポリエステルベロアを含む、＜項２５６＞または＜項２５７＞のいずれか１項に記載のカフ。
＜項２５９＞
動脈、静脈、心房もしくは他の血液含有構造から血液を血液ポンプに輸送するか、または血液ポンプから血液を動脈、静脈、心房もしくは他の血液含有構造へ輸送するための導管であって：
ｉ）近位端及び遠位端を有する管状本体を備えた可塑性の近位導管セグメントであって、前記管状本体は、前記近位端と前記遠位端との間の導管管腔を画定する、前記近位導管セグメントと；
ｉｉ）近位端及び遠位端を有する管状本体を備えた遠位導管先端部と；
ｉｉｉ）前記近位導管セグメントの前記遠位部分から前記遠位導管先端部の遠位端面の遠位領域まで遠位に延在する１つ以上の細長いリブを備える遠位導管先端部保護ケージ構造と；
を備える、前記導管。
＜項２６０＞
前記遠位導管先端部保護ケージ構造が、２つ、３つ、４つ、５つ、６つ、７つまたは８つの細長いリブを有する、＜項２５９＞に記載の導管。
＜項２６１＞
前記遠位導管先端部保護ケージ構造が、ニチノール、ステンレス鋼、弾性ポリマー、またはそれらの組み合わせを含む、＜項２５９＞または＜項２６０＞のいずれか１項に記載の導管。
＜項２６２＞
前記遠位導管先端部保護ケージ構造が、大部分または本質的に、ニチノール、ステンレス鋼、または弾性ポリマーからなる、＜項２５９＞または＜項２６０＞のいずれか１項に記載の導管。
＜項２６３＞
前記ステンレス鋼が、３００シリーズ、４００シリーズ、３０４、３１６、３１６Ｌ、または３１６ＬＶＭステンレス鋼である、＜項２６１＞または＜項２６２＞のいずれか１項に記載の導管。
＜項２６４＞
前記遠位導管先端部保護ケージ構造が、２〜１６μｍＲａ、または４〜８μｍＲａの範囲の表面粗さを有する、＜項２５９＞〜＜項２６３＞のいずれか１項に記載の導管。
＜項２６５＞
前記遠位導管先端部保護ケージ構造の近位部分が、前記近位導管セグメントまたは前記遠位導管セグメントの前記遠位部分、前記遠位導管先端部、または前記近位導管セグメントもしくは前記遠位導管セグメントの前記遠位部分及び前記遠位導管先端部の両方に連結されたリング、リング状、冠状またはステント状構造を有する、＜項２５９＞に記載の導管。
＜項２６６＞
前記遠位導管先端部保護ケージ構造の遠位部分が、細長いリブに連結されているリング、リング状、冠状、またはステント状構造を有する、＜項２５９＞のいずれか１項に記載の導管。
＜項２６７＞
細長いリブが、遠位リング、リング状、冠状、またはステント状構造なしで一緒に遠位に連結される、＜項２５９＞のいずれか１項に記載の導管。
＜項２６８＞
細長いリブが一緒に遠位に連結されていない、＜項２５９＞のいずれか１項に記載の導管。
＜項２６９＞
前記遠位導管先端部保護ケージ構造の遠位端が、前記近位導管セグメントまたは前記遠位導管セグメントの長軸に対して平行な軸に沿って平行移動されたとき、前記遠位導管先端部保護ケージ構造が、前記近位導管セグメントまたは前記遠位導管セグメントの前記長軸を横断する軸に沿った寸法で拡張または収縮する、＜項２５９＞のいずれか１項に記載の導管。
＜項２７０＞
遠位導管先端部保護ケージ構造が、６〜３０ｍｍの拡張直径を有し、軸に沿って測定されたとき、前記近位導管セグメントまたは前記遠位導管セグメントの前記長軸に平行な軸に沿って横断する＜項２６９＞のいずれか１項に記載の導管。
＜項２７１＞
遠位導管先端部保護ケージ構造が、前記近位導管セグメントまたは前記遠位導管セグメントの前記長軸を横断する軸に沿って測定した場合に、前記遠位導管先端部の直径よりも１０％〜２５％、２５％〜５０％、５０％〜７５％、７５％〜１００％、１００％〜２００％、または２００％〜４００％以上拡張した直径を有する、＜項２６９＞に記載の導管。
＜項２７２＞
前記近位導管セグメントまたは前記遠位導管セグメントの前記長軸に平行な軸に沿って測定した場合、拡張遠位導管先端部保護ケージ構造の少なくとも１つのリブが１０〜６０ｍｍの長さを有する、＜項２５９＞に記載の導管。
＜項２７３＞
拡張遠位導管先端部保護ケージ構造の少なくとも１つのリブが、前記近位導管セグメントまたは前記遠位導管セグメントの前記長軸と平行な軸に沿って測定される場合、前記遠位導管先端部の長さと同じ長さを有する、＜項２５９＞に記載の導管。
＜項２７４＞
拡張遠位導管先端部保護ケージ構造の少なくとも１つのリブが、前記近位導管セグメントまたは前記遠位導管セグメントの前記長軸に平行な軸に沿って測定した場合、前記遠位導管先端部の長さよりも１０％〜２５％、２５％〜５０％、５０％〜７５％、７５％〜１００％、１００％〜２００％、または２００％〜４００％またはそれを超える長さを有する、＜項２５９＞に記載の導管。
＜項２７５＞
拡張遠位導管先端部保護ケージ構造の少なくとも１つのリブの断面形状が、円形、正方形、長方形、または楕円形である、＜項２５９＞に記載の導管。
＜項２７６＞
拡張遠位導管先端部保護ケージ構造の少なくとも１つのリブが、０．３〜２．０ｍｍの範囲、または０．６〜１．０ｍｍの範囲の直径または幅を有する、＜項２５９＞または＜項２７５＞のいずれか１項に記載の導管。
＜項２７７＞
前記遠位導管先端部が、前記近位導管セグメントまたは前記遠位導管セグメントの前記長軸に平行な平面上で参照されるように、拡張された前記遠位導管先端部保護ケージの中央に配置される、＜項２５９＞のいずれか１項に記載の導管。
＜項２７８＞
前記遠位導管先端部が、前記近位導管セグメントまたは前記遠位導管セグメントの前記長軸に平行な平面上で参照されるように、拡張された前記遠位導管先端部保護ケージの中央に対して近位に、または遠位に配置される、＜項２５９＞に記載の導管。
＜項２７９＞
前記遠位導管先端部が、前記近位導管セグメントまたは前記遠位導管セグメントの前記長軸を横断する平面上で参照されるように、拡張された前記遠位導管先端部保護ケージの中央に配置される、＜項２５９＞のいずれか１項に記載の導管。
＜項２８０＞
前記遠位導管先端部が、前記近位導管セグメントまたは前記遠位導管セグメントの前記長軸を横断する平面上で参照されるように、拡張された前記遠位導管先端部保護ケージの中央に対して近位にまたは遠位に配置される、＜項２５９＞のいずれか１項に記載の導管。
＜項２８１＞
血液ポンプと；
動脈、静脈、心房、または他の血液含有構造から血液を血液ポンプに輸送するための第１の導管であって：
第１の近位端と第１の遠位端とを有する第１の管状導管本体を備えた可塑性の、圧縮抵抗かつねじれ抵抗の第１の近位セグメントであって、前記第１の管状本体は、前記第１の近位端と前記第１の遠位端との間の第１の導管管腔を画定する、前記第１の近位セグメントと；
第１の遠位導管先端部、及び第１の遠位導管先端部保護ケージ構造をさらに備える第１の遠位先端部アセンブリであって：
前記第１の遠位導管先端部は、第１の近位端及び第１の遠位端を有する第１の遠位導管先端部本体を備え、前記第１の遠位導管先端部本体は、前記第１の遠位導管先端部の前記近位端と前記第１の遠位導管先端部の前記遠位端との間の第１の遠位導管先端部管腔を画定し；
前記第１の遠位導管先端部の前記近位端は、前記第１の近位セグメントの前記遠位端に連結され；
前記第１の遠位導管先端部の前記遠位端は、少なくとも２つのピーク部分及び少なくとも２つの谷部分を有する端面を有し；
前記第１の遠位導管先端部保護ケージ構造が、前記近位導管セグメントの前記遠位部分から、または前記遠位導管先端部から、前記遠位導管先端部の前記遠位端面に対して遠位領域まで遠位に延在する２つ以上の細長いリブを備える、
前記第１の遠位先端部アセンブリと；
を備える、前記第１の導管と、
前記血液ポンプから静脈または動脈に血液を輸送するための第２の導管であって：
第２の近位端と第２の遠位端とを有する第２の管状導管本体を備えた可塑性の、圧縮抵抗かつねじれ抵抗の第２の近位セグメントであって、前記第２の管状導管本体は、前記第２の近位端と前記第２の遠位端との間の第２の導管管腔を画定する、前記第２の近位セグメントと；
近位端及び遠位端を有する概して管状の第２の遠位導管先端部であって、前記第２の遠位導管先端部の前記近位端が、前記第２の近位導管セグメントの前記遠位端に連結される、前記第２の遠位導管先端部と；を備え、
前記第２の遠位導管先端部の前記遠位部分の管腔の断面積は、前記第２の遠位導管先端部の近位部分の管腔または前記第２の近位導管セグメントの管腔の断面積よりも小さい、
前記第２の導管と、
を備える、血液ポンプシステム。
＜項２８２＞
血液ポンプと；
動脈、静脈、心房、または他の血液含有構造から血液を血液ポンプに輸送するための第１の導管であって：
第１の近位端と第１の遠位端とを有する第１の管状導管本体を備えた可塑性の、圧縮抵抗かつねじれ抵抗の第１の近位セグメントであって、前記第１の管状本体は、前記第１の近位端と前記第１の遠位端との間の第１の導管管腔を画定する、前記第１の近位セグメントと；
第１の遠位導管先端部、及び第１の遠位導管先端部保護ケージ構造をさらに備える第１の遠位導管先端部アセンブリであって：
前記第１の遠位導管先端部は、第１の近位端及び第１の遠位端を有する第１の遠位導管先端部本体を備え、前記第１の遠位導管先端部本体は、前記第１の遠位導管先端部の前記近位端と前記第１の遠位導管先端部の前記遠位端との間の第１の遠位導管先端部管腔を画定し；
前記第１の遠位導管先端部の前記近位端は、前記第１の近位セグメントの前記遠位端に連結され；
前記第１の遠位導管先端部の前記遠位端は、少なくとも２つのピーク部分及び少なくとも２つの谷部分を有する端面を有し；
前記第１の遠位導管先端部保護ケージ構造が、前記近位導管セグメントの遠位部分から、または前記第１の遠位導管先端部から、前記第１の遠位導管先端部の前記遠位端面に対して遠位領域まで遠位に延在する２つ以上の細長いリブを備える、
前記第１の遠位導管先端部アセンブリと；
を備える、前記第１の導管と、
前記血液ポンプから静脈または動脈に血液を輸送するための第２の導管であって：
第２の近位端と第２の遠位端とを有する第２の管状導管本体を備えた可塑性の、圧縮抵抗かつねじれ抵抗の第２の近位セグメントであって、前記第２の管状導管本体は、前記第２の近位端と前記第２の遠位端との間の第２の導管管腔を画定する、第２の近位セグメントと；
近位セグメント及び遠位セグメントを備える、概して管状の遠位導管先端部であって；
前記第２の遠位導管先端部の近位セグメントの前記近位端が、前記第２の近位導管セグメントの前記遠位端に連結され；
前記第２の遠位導管先端部の近位セグメントの前記遠位端が、前記第２の導管先端部の前記遠位セグメントの前記本体に接続され；
前記第２の遠位導管先端部の前記遠位セグメントが、２つの遠位端を有し；
前記第２の遠位導管先端部の前記遠位セグメントの管腔の断面積は、前記第２の導管の近位セグメントの管腔または前記第２の遠位導管先端部の近位セグメントの管腔の断面積よりも小さい、
前記管状の遠位導管先端部と、
を備える、前記第２の導管と、
を備える、血液ポンプシステム。
＜項２８３＞
血液ポンプと；
動脈、静脈、心房、または他の血液含有構造から血液を血液ポンプに輸送するための第１の導管であって：
第１の近位端と第１の遠位端とを有する第１の管状導管本体を備えた可塑性の、圧縮抵抗かつねじれ抵抗の第１の近位セグメントであって、前記第１の管状本体は、前記第１の近位端と前記第１の遠位端との間の第１の導管管腔を画定する、前記第１の近位セグメントと；
第１の遠位導管先端部をさらに備える第１の遠位先端部アセンブリと、
を備える、前記第１の導管と、
前記血液ポンプから静脈または動脈に血液を輸送するための第２の導管であって：
第２の近位端と第２の遠位端とを有する第２の管状導管本体を備えた可塑性の、圧縮抵抗かつねじれ抵抗の第２の近位セグメントであって、前記第２の管状導管本体は、前記第２の近位端と前記第２の遠位端との間の第２の導管管腔を画定する、前記第２の近位セグメントと；
近位端及び遠位端を有する概して管状の第２の遠位導管先端部であって、前記第２の遠位導管先端部の前記近位端が、前記第２の近位導管セグメントの前記遠位端に連結される、前記遠位導管先端部と；を備え、
前記第２の遠位導管先端部の前記遠位部分の管腔の断面積は、第２の遠位導管先端部の近位部分の管腔または前記第２の近位導管セグメントの管腔の断面積よりも小さい、
前記第２の導管、
とを備える、血液ポンプシステム。
＜項２８４＞
血液ポンプと；
動脈、静脈、心房、または他の血液含有構造から血液を血液ポンプに輸送するための第１の導管であって：
第１の近位端と第１の遠位端とを有する第１の管状導管本体を備えた可塑性の、圧縮抵抗かつねじれ抵抗の第１の近位セグメントであって、前記第１の管状本体は、前記第１の近位端と前記第１の遠位端との間の第１の導管管腔を画定する、前記第１の近位セグメントと；
第１の遠位導管先端部をさらに備える第１の遠位先端部アセンブリと、
を備える、前記第１の導管と
前記血液ポンプから静脈または動脈に血液を輸送するための第２の導管であって：
第２の近位端と第２の遠位端とを有する第２の管状導管本体を備えた可塑性の、圧縮抵抗かつねじれ抵抗の第２の近位セグメントであって、前記第２の管状導管本体は、前記第２の近位端と前記第２の遠位端との間の第２の導管管腔を画定する、前記第２の近位セグメントと；
近位セグメント及び遠位セグメントを備える、概して管状の遠位導管先端部であって；
前記第２の遠位導管先端部の前記近位セグメントの前記近位端が、前記第２の近位導管セグメントの前記遠位端に連結され；
前記第２の遠位導管先端部の前記近位セグメントの前記遠位端が、前記第２の導管先端部の前記遠位セグメントの前記本体に連結され；
前記第２の遠位導管先端部の前記遠位セグメントが、２つの遠位端を有する、
前記遠位導管先端部と；を備え、
前記第２の遠位導管先端部の遠位セグメントの管腔の断面積は、前記第２の導管の近位セグメントの管腔または前記第２の遠位導管先端部の近位セグメントの管腔の断面積よりも小さい、
前記第２の導管と、
を備える、血液ポンプシステム。
＜項２８５＞
遠心分離式血液ポンプシステムであって：
ポンプハウジンと；
血液を受け入れて血液をインペラに送るためのポンプ入口と；
上下のピボットベアリング上の前記ポンプハウジング内に吊り下げられたインペラであって：
前記インペラの上面上であり、かつ前記インペラの中心から半径方向に伸びる複数のブレードであって、前記ポンプハウジングを通って前記入口に受け入れられた血液を前記出口に押し出すための、前記複数のブレードと；
前記底面から前記インペラを通って上面まで前記インペラの中心軸に平行に延在する少なくとも１つの管腔と、
を備える、前記インペラと；
を備える、前記遠心分離式血液ポンプシステムと、
前記インペラを回転させる電動モーターと；
動脈、静脈、心房、または他の血液含有構造から血液を血液ポンプに輸送するための第１の導管であって：
近位端と遠位端とを有する第１の管状本体を備えた可塑性の、圧縮抵抗かつねじれ抵抗の第１の近位導管セグメントであって、前記管状本体は、前記近位端と前記遠位端との間の第１の近位導管セグメント管腔を画定する、前記第１の近位導管セグメントと；
第１の遠位導管先端部、及び第１の遠位導管先端部保護ケージ構造をさらに備える第１の遠位導管先端部アセンブリであって：
前記第１の遠位導管先端部は、近位端及び遠位端を有する本体を備え、前記管状本体は、前記近位端と前記遠位端との間の第１の遠位導管先端部管腔を画定し；
前記第１の遠位導管先端部の前記近位端は、前記第１の導管の前記第１の近位セグメントの前記遠位端に連結され；
前記第１の遠位導管先端部の前記遠位端は、少なくとも２つのピーク部分及び少なくとも２つの谷部分を有する端面を有し；
前記第１の遠位導管先端部保護ケージ構造が、前記近位導管セグメントの前記遠位部分から、または前記第１の遠位導管先端部から、前記第１の遠位導管先端部の前記遠位端面に対して遠位領域まで遠位に延在する２つ以上の細長いリブを備える；
前記第１の遠位導管先端部アセンブリと、
を備える、前記第１の導管と、
前記血液ポンプから静脈または動脈に血液を輸送するための第２の導管であって：
近位端と遠位端とを有する管状本体を備えた可塑性の、圧縮抵抗かつねじれ抵抗の第２の近位セグメントであって、前記管状本体は、前記近位端と前記遠位端との間の第２の近位導管セグメントを画定する、前記第２の近位セグメントと；
近位端及び遠位端を有する概して管状の第２の遠位導管先端部であって、前記遠位導管先端部の前記近位端が、前記導管の前記第２の近位セグメントの前記遠位端に連結される、前記第２の遠位導管先端部と；を備え、
前記第２の遠位導管先端部の前記遠位部分の管腔の断面積は、前記第２の遠位導管先端部の近位部分の管腔または前記第２の近位導管セグメントの管腔の断面積よりも小さい、
前記第２の導管と、
を備える、血液ポンプシステム。
＜項２８６＞
遠心分離式血液ポンプであって：
ポンプハウジングと；
血液を受け入れてインペラに送るためのポンプ入口と；
上下のピボットベアリング上の前記ポンプハウジング内に吊り下げられたインペラであって：
前記インペラの上面上であり、かつ前記インペラの中心から半径方向に伸びる複数のブレードであって、前記ポンプハウジングを通って前記入口に受け入れられた血液を前記出口に押し出すための、前記複数のブレードを備える、
前記インペラと；
前記インペラを回転させる電動モーターと、
を備える、前記遠心分離血液ポンプと；
動脈、静脈、心房、または他の血液含有構造から血液を血液ポンプに輸送するための第１の導管であって：
近位端と遠位端とを有する第１の管状本体を備えた可塑性の、圧縮抵抗かつねじれ抵抗の第１の近位導管セグメントであって、前記管状本体は、前記近位端と前記遠位端との間の第１の近位導管セグメント管腔を画定する、前記第１の近位導管セグメントと；
第１の遠位導管先端部、及び第１の遠位導管先端部保護ケージ構造をさらに備える第１の遠位導管先端部アセンブリであって：
前記第１の遠位導管先端部は、近位端及び遠位端を有する本体を備え、前記管状本体は、前記近位端と前記遠位端との間の第１の遠位導管先端部管腔を画定し；
前記第１の遠位導管先端部の前記近位端は、前記第１の導管の前記第１の近位セグメントの前記遠位端に連結され；
前記第１の遠位導管先端部の前記遠位端は、少なくとも２つのピーク部分及び少なくとも２つの谷部分を有する端面を有し；
前記第１の遠位導管先端部保護ケージ構造が、前記近位導管セグメントの前記遠位部分から、または前記第１の遠位導管先端部から、前記第１の遠位導管先端部の前記遠位端面に対して遠位領域まで遠位に延在する２つ以上の細長いリブを備える、
前記第１の遠位先端部アセンブリと、
を備える、第１の導管と；
血液ポンプから静脈または動脈に血液を輸送するための第２の導管であって：
近位端と遠位端とを有する管状本体を備えた可塑性の、圧縮抵抗かつねじれ抵抗の第２の近位セグメントであって、前記管状本体は、前記近位端と前記遠位端との間の第２の近位導管セグメントを画定する、前記第２の近位セグメントと；
近位セグメント及び遠位セグメントを備える、概して管状の第２の遠位導管先端部であって；
前記第２の遠位導管先端部の前記近位セグメントの前記近位端は、前記第２の近位導管セグメントの前記遠位端に連結され；
前記第２の遠位導管先端部の前記近位セグメントの前記遠位端が、前記第２の導管先端部の前記遠位セグメントの前記本体に連結され；
前記第２の遠位導管先端部の前記遠位セグメントが、２つの遠位端を有し；
前記第２の遠位導管先端部の前記遠位セグメントの管腔の断面積は、前記第２の導管の近位セグメントの管腔または前記第２の遠位導管先端部の近位セグメントの管腔の断面積よりも小さい、
前記第２の遠位導管先端部と、を備える
前記第２の導管と、
を備える、血液ポンプシステム。
＜項２８７＞
前記ポンプハウジングがポンプ入口を画定する、＜項２８６＞に記載の血液ポンプシステム。
＜項２８８＞
前記頂部ピボットベアリングが前記ハウジングの頂部から前記入口に延在し、底部ピボットベアリングが前記ハウジングの底部から前記ハウジングの前記内部空間に延在する、＜項２８６＞に記載の血液ポンプシステム。
＜項２８９＞
軸方向荷重が前記頂部ピボットベアリングと前記底部ピボットベアリングとの間で分担され得、前記軸方向荷重の０〜１００％が各ピボットベアリングに分配され得る、＜項２８６＞に記載の血液ポンプシステム。
＜項２９０＞
前記インペラピボットが、ピボット本体内に配置された第１ピボットインサート及び第２ピボットインサートをさらに備え、第１ピボットインサートが頂部ピボットと係合し、第２ピボットインサートが底部ピボットと係合する、＜項２８６＞に記載の血液ポンプシステム。
＜項２９１＞
前記インペラは、前記インペラを通って前記底面から前記上面まで前記インペラの中心軸に平行に延在する少なくとも１つの管腔を備える、＜項２８６＞に記載の血液ポンプシステム。
＜項２９２＞
前記血液ポンプが、前記インペラに機械的に係合される少なくとも１つの磁石を備える、＜項２８６＞に記載の血液ポンプシステム。
＜項２９３＞
前記電気モーターが、前記少なくとも１つの磁石を含む磁石アセンブリと、前記少なくとも１つの磁石を磁気的に係合させるための電気コイルアセンブリとを備え、前記電気モーターは、前記少なくとも１つの磁石及び前記インペラを回転させる、＜項２８６＞に記載の血液ポンプシステム。
＜項２９４＞
ヒト患者において動静脈瘻または動静脈グラフトを作製する方法であって：
第１の導管の一端を供与側静脈に流体的に接続することと；
第２の導管の一端を受容側静脈に流体的に接続することと；
少なくとも７日間、脱酸素化された血液を前記供与側静脈から前記受容側静脈にポンピングすることであって：
血液の前記ポンピングは、前記受容側静脈内の壁せん断応力を０．７６Ｐａ以上にし、
血液の前記ポンピングは、前記受容側静脈における平均脈圧を２０ｍｍＨｇ未満にし、
前記受容側静脈に流体的に接続された前記導管の遠位部分における血液の平均速度は、前記受容静脈に流体接続された前記導管の中間部分における血液の平均速度よりも速く、
血液の前記ポンピングは、末梢静脈の全直径の持続的な増加をもたらす、
前記ポンピングすることと；
持続的に増加した全直径を有する前記受容側静脈の少なくとも一部を使用して、前記患者に前記動静脈瘻または前記動静脈グラフトを形成することと、
とを備える、前記方法。
＜項２９５＞
前記患者が、血液透析のための血管アクセスを可能にするために、動静脈瘻または動静脈グラフトを必要とする、＜項２９４＞に記載の方法。
＜項２９６＞
前記ポンプ導管アセンブリが、５０と１５００ｍｌ／分との間の速度で血液をポンピングする、＜項２９４＞に記載の方法。
＜項２９７＞
前記ポンプ導管アセンブリが、１００と１０００ｍｌ／分との間の速度で血液をポンピングする、＜項２９４＞に記載の方法。
＜項２９８＞
前記受容側静脈内の平均壁せん断応力が、前記ポンプ導管アセンブリが作動しているとき、０．７６Ｐａと２３Ｐａとの間である、＜項２９４＞に記載の方法。
＜項２９９＞
前記受容側静脈における平均壁せん断応力が、前記ポンプ導管アセンブリが作動しているとき、２．５Ｐａと１０Ｐａとの間である、＜項２９４＞に記載の方法。
＜項３００＞
前記受容側静脈における平均壁せん断応力が、前記ポンプ導管アセンブリが作動しているとき、２．５Ｐａと７．５Ｐａとの間である、＜項２９４＞に記載の方法。
＜項３０１＞
前記ポンプ導管アセンブリが作動しているときに、前記受容側静脈内の血液の平均速度が１５と１００ｃｍ／ｓとの間である、＜項２９４＞に記載の方法。
＜項３０２＞
血液を、前記ポンプ導管アセンブリを通じて３日と４２日との間ポンピングする、＜項２９４＞に記載の方法。
＜項３０３＞
血液をポンピングした後に前記受容側静脈の全直径及び前記受容側静脈を通る血流を決定することと、
前記ポンプ導管アセンブリのポンプ部分の速度を変化させて、前記受容側静脈内の所望の壁せん断応力または血液の平均速度を維持することと、
をさらに包含する、＜項２９４＞に記載の方法。
＜項３０４＞
前記受容側静脈と前記ポンプ導管アセンブリとの間の接続部に隣接する前記受容静脈内の前記血液の脈圧が、前記ポンプ導管アセンブリが作動しているときに１０ｍｍＨｇ未満である、＜項２９４＞に記載の方法。
＜項３０５＞
前記受容側静脈と前記ポンプ導管アセンブリとの間の接続に隣接する前記受容側静脈内の前記血液の脈圧が、前記ポンプ導管アセンブリが作動しているときに５ｍｍＨｇ未満である、＜項２９４＞に記載の方法。
＜項３０６＞
前記受容側静脈と前記ポンプ導管アセンブリとの間の接続に隣接する前記受容側静脈内の前記血液の脈圧が、前記ポンプ導管アセンブリが作動しているときに５ｍｍＨｇ未満である、＜項２９４＞に記載の方法。
＜項３０７＞
前記血液を、前記ポンプ導管アセンブリを通じて２０〜２００ｃｍの間ポンピングする、＜項２９４＞に記載の方法。
＜項３０８＞
前記供与側静脈が、右心房、上大静脈、下大静脈、腕頭静脈、頸静脈、鎖骨下静脈、腋窩静脈、総腸骨静脈、外腸骨静脈、または大腿静脈からなる群より選択される、＜項２９４＞に記載の方法。
＜項３０９＞
前記受容側静脈が、橈側皮静脈、尺骨静脈、肘正中静脈、尺側皮静脈、上腕静脈、小伏在静脈、大伏在静脈または大腿静脈からなる群より選択される、＜項２９４＞に記載の方法。
＜項３１０＞
前記ポンプ導管アセンブリのポンプ部分が前記患者に埋め込まれる、＜項２９４＞に記載の方法。
＜項３１１＞
前記ポンプ導管アセンブリのポンプ部分が前記患者に対して体外に留まる、＜項２９４＞に記載の方法。
＜項３１２＞
前記受容側静脈の持続的に増加した全直径が、少なくとも２．０、２．５，３．０、３．５、４、５、６、８、１０または１２ｍｍである、＜項２９４＞に記載の方法。
＜項３１３＞
前記受容側静脈に流体的に接続された前記導管の遠位部分の血液の平均速度が、前記受容側静脈に流体的に接続された前記導管の中間部分における血液の平均速度よりも２５％、５０％、７５％、１００％、１５０％、２００％、３００％、４００％、５００％、または５００％より高い、＜項２９４＞に記載の方法。
＜項３１４＞
前記近位導管セグメントと前記遠位導管先端部との間に挿入された遠位導管セグメントをさらに備え、
前記導管の前記近位セグメントの前記遠位端が、前記遠位セグメントの前記近位端に連結され；かつ
前記導管の前記遠位セグメントの前記遠位端が、前記遠位導管先端部の前記近位端に接続される、
＜項２８１＞、＜項２８２＞、＜項２８６＞または＜項２８７＞に記載の血液ポンプシステム。
＜項３１５＞
前記近位及び前記遠位の導管セグメントが、以下：
ｖｉ）摩擦嵌合；
ｖｉｉ）タケノコ継手；
ｖｉｉｉ）半径方向圧縮固定器具または固定輪
ｉｘ）１つ以上のタケノコ継手及び半径方向圧縮固定器具もしくは固定輪を備えたインラインコネクタ；または
ｘ）接着剤；
のうちの１つ以上によって接続されている、＜項３１４＞に記載の血液ポンプシステム。
＜項３１６＞
前記近位導管セグメントまたは前記遠位導管セグメントが可塑性または弾性のポリマーを含む、＜項３１４＞に記載の血液ポンプシステム。
＜項３１７＞
前記近位導管セグメントまたは前記遠位導管セグメントが、大部分または本質的に、可塑性または弾性のポリマーからなる、＜項３１４＞に記載の血液ポンプシステム。
＜項３１８＞
前記可塑性または弾性のポリマーが、ポリウレタン、Ｐｅｌｌｅｔｈａｎｅ（登録商標）ポリウレタン、Ｃａｒｂｏｔｈａｎｅ（登録商標）ポリウレタン、芳香族ポリウレタンエラストマーアロイ、Ｐｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド、及びそれらの組み合わせである、＜項３１４＞に記載の血液ポンプシステム。
＜項３１９＞
前記可塑性または弾性のポリマーが、２０〜８０Ａ、２０〜３０Ａ、３０〜４０Ａ、４０〜５０Ａ、５０〜６０Ａ、６０〜７０Ａ、７０〜８０Ａの範囲のショア硬度を有する、＜項３１４＞に記載の血液ポンプシステム。
＜項３２０＞
前記可塑性または弾性のポリマーが、２０Ａ、２５Ａ、３０Ａ、３５Ａ、４０Ａ、４５Ａ、５０Ａ、５５Ａ、６０Ａ、６５Ａ、７０Ａ、７５Ａまたは８０Ａのショア硬度を有する、請求項３１４に記載の血液ポンプシステム。
前記可塑性または弾性のポリマーが、７０Ａのショア硬度のＣａｒｂｏｔｈａｎｅ（登録商標）ＰＣ−３５７５Ａまたは４５Ａもしくは５５Ａのショア硬度を有するＰｏｌｙｂｌｅｎｄ  １１００芳香族ポリウレタンエラストマーアロイである、＜項３１４＞に記載の血液ポンプシステム。
＜項３２１＞
前記近位導管セグメント、前記遠位導管セグメント、ならびに前記近位導管セグメント及び前記遠位導管セグメントの両方が、金属ワイヤー支持体をさらに備える、＜項３１４＞に記載の血液ポンプシステム。
＜項３２２＞
金属ワイヤー支持体が、編組、コイル、または螺旋構成であり、円形断面を有しても、または扁平断面を有してもよい、＜項３１４＞に記載の血液ポンプシステム。
＜項３２３＞
前記金属ワイヤー支持体が、可塑性または弾性のあるポリマーの２つの層の間か、外面上か、または内面上に位置する、＜項３１４＞に記載の血液ポンプシステム。
＜項３２４＞
ワイヤーが、ニチノール、ステンレス鋼、またはそれらの組み合わせを含む、＜項３１４＞に記載の血液ポンプシステム。
＜項３２５＞
コイル形状に巻かれた前記ニチノールワイヤーが、０．００４〜０．０１２インチ、または０．００８〜０．０１０インチの直径である、＜項３１４＞に記載の血液ポンプシステム。
＜項３２６＞
前記ニチノールワイヤーが、０．０１５〜０．０４インチのピッチまたは０．０２〜０．０３インチのピッチを有するコイル形状で巻かれている、＜項３１４＞〜＜項３１８＞のいずれか１項に記載の導管。
＜項３２７＞
編組構成で適用される前記ニチノールワイヤーが、０．００２〜０．００８インチの直径、または０．００４インチの直径である、＜項３２４＞に記載の導管。
＜項３２８＞
編組構成で適用された前記ニチノールワイヤーが、１つのストランドまたは２つのストランドに適用される、＜項３１４＞〜＜項３１８＞のいずれか１項に記載の導管。
＜項３２９＞
前記ステンレス鋼が、３００シリーズ、３０４、３１６、３１６Ｌ、３１６ＬＶＭ、または４００シリーズのステンレス鋼である、＜項３１４＞に記載の血液ポンプシステム。
＜項３３０＞
前記近位導管セグメント、前記遠位導管セグメントまたは側方ポートが１つ以上のクランプを備える、＜項３１４＞に記載の血液ポンプシステム。
＜項３３１＞
編組構成で適用される金属ワイヤー支持体を含む可塑性または弾性のポリマーのセグメント上にクランプが配置される、＜項３１４＞に記載の血液ポンプシステム。
＜項３３２＞
前記近位導管セグメントが、編組ワイヤー支持体を含み、前記遠位導管セグメントがコイルワイヤー支持体を含む、＜項３１４＞に記載の血液ポンプシステム。
＜項３３３＞
前記遠位導管先端部が、金属または金属合金を含む、＜項３１４＞に記載の血液ポンプシステム。
＜項３３４＞
前記遠位導管先端部が、大部分または本質的に、金属または金属合金からなる、＜項３１４＞に記載の血液ポンプシステム。
＜項３３５＞
前記金属または金属合金がステンレス鋼またはチタニウムである、＜項３１４＞に記載の血液ポンプシステム。
＜項３３６＞
前記ステンレス鋼が、３００シリーズ、４００シリーズ、３０４、３１６、３１６Ｌ、または３１６ＬＶＭステンレス鋼である、＜項３１４＞に記載の血液ポンプシステム。
＜項３３７＞
前記遠位導管先端部が、ポリマー、または完全にもしくは部分的に金属化されたポリマーを含む、＜項３１４＞に記載の血液ポンプシステム。
＜項３３８＞
前記遠位導管先端部が、大部分または本質的に、ポリマー、または完全にもしくは部分的に金属化されたポリマーからなる、＜項３１４＞に記載の血液ポンプシステム。
＜項３３９＞
前記ポリマーがポリカーボネートまたはポリエーテルエーテルケトンである、＜項３１４＞に記載の血液ポンプシステム。
＜項３４０＞
前記遠位導管先端部が、２〜１６μｍＲａ、または４〜８μｍＲａの範囲の表面粗さを有する、＜項３１４＞に記載の血液ポンプシステム。
＜項３４１＞
前記遠位導管先端部の遠位開口部が、前記遠位導管先端部の外面から前記遠位導管先端部の内面まで完全に弓形である遠位端面によって画定されている、＜項３１４＞に記載の血液ポンプシステム。
＜項３４２＞
前記遠位導管先端部の遠位開口部が、前記遠位導管先端部の壁厚の２５％〜７５％、４０％〜６０％、または５０％に等しい半径を有する弓形面によって画定される遠位端面によって画定される、＜項３１４＞に記載の血液ポンプシステム。
＜項３４３＞
前記遠位端面の半径が、０．２５〜１．３ｍｍ、または０．５〜０．６５ｍｍの範囲である、＜項３１４＞に記載の血液ポンプシステム。
＜項３４４＞
前記遠位導管先端部の遠位開口部が、３つ以上のピーク領域と、前記遠位開口部の末梢の周囲の３つ以上の谷領域とを備える、＜項３１４＞に記載の血液ポンプシステム。
＜項３４５＞
前記遠位導管先端部の遠位開口部が、遠位開口部の末梢に沿って４つ以上のピーク領域及び４つ以上の谷領域を備える、＜項３１４＞に記載の血液ポンプシステム。
＜項３４６＞
前記遠位導管先端部の前記遠位端面は、概して波状の形状を有する、＜項３１４＞に記載の血液ポンプシステム。
＜項３４７＞
前記遠位導管先端部の前記遠位端面は、概して正弦曲線外形を有する、＜項３１４＞に記載の血液ポンプシステム。
＜項３４８＞
前記遠位導管先端部が、前記谷部または前記領域よりも１．５〜３．５、２．０〜３．０、または２．５倍の幅であるピーク部分またはピーク領域によって画定される遠位端面を有する、＜項３１４＞に記載の血液ポンプシステム。
＜項３４９＞
前記遠位導管先端部の前記遠位端面のピーク領域に対する前記遠位導管先端部の前記遠位端面の谷領域の全円弧長の比が、谷部分の１０％または３６度から前記谷部分の９０％または３２４度までの範囲内にあってもよい、＜項３１４＞に記載の血液ポンプシステム。
＜項３５０＞
前記近位導管セグメントまたは前記遠位導管セグメントの前記遠位端が、前記遠位導管先端部の近位端に、以下：
ｖｉ）摩擦嵌合；
ｖｉｉ）タケノコ継手；
ｖｉｉｉ）半径方向圧縮固定器具または固定輪
ｉｘ）１つ以上のタケノコ継手及び半径方向圧縮固定器具もしくは固定輪を備えたインラインコネクタ；または
ｘ）接着剤；
のうちの１つ以上によって接続されている、＜項３１４＞に記載の血液ポンプシステム。
＜項３５１＞
前記遠位導管先端部の近位部分が、前記遠位導管セグメントの前記遠位端または前記近位導管セグメントの前記遠位端と係合するための前記遠位導管先端部の外面の周りの環状返し部を備える、＜項３１４＞に記載の血液ポンプシステム。
＜項３５２＞
前記遠位導管先端部の前記近位部分が、少なくとも１つの他の環状返し部を画定する、＜項３１４＞に記載の血液ポンプシステム。
＜項３５３＞
前記遠位導管先端部の前記少なくとも１つの他の環状返し部が、前記環状返し部の近位に配置される、＜項３１４＞に記載の血液ポンプシステム。
＜項３５４＞
前記遠位導管先端部の前記少なくとも１つの他の環状返し部が、前記遠位導管先端部の長手方向軸から、前記第１の環状返し部の角度よりも大きな角度で延在する、＜項３１４＞に記載の血液ポンプシステム。
＜項３５５＞
前記遠位導管先端部の外径及び前記近位導管または前記遠位導管の前記遠位端の外径は、連結されたときにほぼ同じである、＜項３１４＞に記載の血液ポンプシステム。
＜項３５６＞
前記遠位導管先端部が５〜５０ｍｍの全長を有する、＜項３１４＞に記載の血液ポンプシステム。
＜項３５７＞
前記遠位導管先端部の近位端が、前記遠位導管先端部の全長の２０％〜８０％を占める、＜項３１４＞に記載の血液ポンプシステム。
＜項３５８＞
前記遠位導管先端部の前記近位端が、前記遠位導管先端部の前記全長の２０％、３０％、４０％、５０％、６０％、７０％または８０％を占める、＜項３１４＞に記載の血液ポンプシステム。
＜項３５９＞
前記遠位導管先端部の前記近位端が３〜３０ｍｍの長さを有する、＜項３１４＞に記載の血液ポンプシステム。
＜項３６０＞
前記遠位導管先端部が、２〜１０ｍｍ、３〜６ｍｍ、または３．５〜５．５ｍｍの内径を有する、＜項３１４＞に記載の血液ポンプシステム。
＜項３６１＞
前記遠位導管先端部が４ｍｍの内径を有する、＜項３１４＞に記載の血液ポンプシステム。
＜項３６２＞
遠位開口を形成する前記遠位導管先端部の前記遠位端が、０．５〜８ｍｍの壁厚を有する、＜項４４＞に記載の血液ポンプシステム。
＜項３６３＞
前記遠位導管先端部保護ケージ構造が、２つ、３つ、４つ、５つ、６つ、７つまたは８つの細長いリブを有する、＜項３１４＞に記載の血液ポンプシステム。
＜項３６４＞
前記遠位導管先端部保護ケージ構造が、ニチノール、ステンレス鋼、弾性ポリマー、またはそれらの組み合わせを含む、＜項３１４＞に記載の血液ポンプシステム。
＜項３６５＞
前記遠位導管先端部保護ケージ構造が、大部分または本質的に、ニチノール、ステンレス鋼、または弾性のポリマーからなる、＜項３１４＞に記載の血液ポンプシステム。
＜項３６６＞
前記ステンレス鋼が、３００シリーズ、４００シリーズ、３０４、３１６、３１６Ｌ、または３１６ＬＶＭステンレス鋼である、＜項３１４＞に記載の血液ポンプシステム。
＜項３６７＞
前記遠位導管先端部保護ケージ構造が、２〜１６μｍＲａ、または４〜８μｍＲａの範囲の表面粗さを有する、＜項３１４＞に記載の血液ポンプシステム。
＜項３６８＞
前記遠位導管先端部保護ケージ構造の近位部分が、前記近位導管セグメントもしくは前記遠位導管セグメントの前記遠位部分、前記遠位導管先端部、または前記近位導管セグメントもしくは前記遠位導管セグメントの前記遠位部分及び前記遠位導管先端部の両方に連結されたリング、リング状、冠状またはステント状構造を有する、＜項３１４＞に記載の血液ポンプシステム。
＜項３６９＞
前記遠位導管先端部保護ケージ構造の遠位部分が、細長いリブに連結されているリング、リング状、冠状、またはステント状構造を有する、＜項３１４＞に記載の血液ポンプシステム。
＜項３７０＞
細長いリブが、遠位リング、リング状、冠状、またはステント状構造なしで一緒に遠位に連結される、＜項３１４＞に記載の血液ポンプシステム。
＜項３７１＞
細長いリブが一緒に遠位に連結されていない、＜項３１４＞に記載の血液ポンプシステム。
＜項３７２＞
遠位導管先端部保護ケージ構造の遠位端が、前記近位導管セグメントまたは前記遠位導管セグメントの長軸に対して平行な軸に沿って平行移動されたとき、前記遠位導管先端部保護ケージ構造が、前記近位導管セグメントまたは前記遠位導管セグメントの前記長軸を横断する軸に沿った寸法で拡張または収縮する、＜項３１４＞に記載の血液ポンプシステム。
＜項３７３＞
遠位導管先端部保護ケージ構造が、前記近位導管セグメントまたは前記遠位導管セグメントの前記長軸を横切る軸に沿って測定されたとき、６〜３０ｍｍの拡張直径を有する、＜項３１４＞に記載の血液ポンプシステム。
＜項３７４＞
遠位導管先端部保護ケージ構造が、前記近位導管セグメントまたは前記遠位導管セグメントの前記長軸を横断する軸に沿って測定されたとき、前記遠位導管先端部の直径よりも１０％〜２５％、２５％〜５０％、５０％〜７５％、７５％〜１００％、１００％〜２００％、または２００％〜４００％以上拡張した直径を有する、＜項３１４＞に記載の血液ポンプシステム。
＜項３７５＞
前記近位導管セグメントまたは前記遠位導管セグメントの前記長軸に平行な軸に沿って測定した場合、拡張遠位導管先端部保護ケージ構造の少なくとも１つのリブが１０〜６０ｍｍの長さを有する、＜項３１４＞に記載の血液ポンプシステム。
＜項３７６＞
拡張遠位導管先端部保護ケージ構造の少なくとも１つのリブが、前記近位導管セグメントまたは前記遠位導管セグメントの前記長軸と平行な軸に沿って測定される場合、前記遠位導管先端部の長さと同じ長さを有する、＜項３１４＞に記載の血液ポンプシステム。
＜項３７７＞
拡張遠位導管先端部保護ケージ構造の少なくとも１つのリブが、前記近位導管セグメントまたは前記遠位導管セグメントの前記長軸に平行な軸に沿って測定した場合、前記遠位導管先端部の長さよりも１０％〜２５％、２５％〜５０％、５０％〜７５％、７５％〜１００％、１００％〜２００％、または２００％〜４００％を超える長さを有する、＜項３１４＞に記載の血液ポンプシステム。
＜項３７８＞
拡張遠位導管先端部保護ケージ構造の少なくとも１つのリブの断面形状が、円形、正方形、長方形、または楕円形である、＜項３１４＞に記載の血液ポンプシステム。
＜項３７９＞
拡張遠位導管先端部保護ケージ構造の少なくとも１つのリブが、０．３〜２．０ｍｍの範囲、または０．６〜１．０ｍｍの範囲の直径または幅を有する、＜項３１４＞に記載の血液ポンプシステム。
＜項３８０＞
前記遠位導管先端部が、前記近位導管セグメントまたは前記遠位導管セグメントの前記長軸に平行な平面上で参照されるように、拡張された前記遠位導管先端部保護ケージの中央に配置される、＜項３１４＞に記載の血液ポンプシステム。
＜項３８１＞
前記遠位導管先端部が、前記近位導管セグメントまたは前記遠位導管セグメントの前記長軸に平行な平面上で参照されるように、拡張された前記遠位導管先端部保護ケージの中央に対して近位に、または遠位に配置される、＜項３１４＞に記載の血液ポンプシステム。
＜項３８２＞
前記遠位導管先端部が、前記近位導管セグメントまたは前記遠位導管セグメントの前記長軸を横断する平面上で参照されるように、拡張された前記遠位導管先端部保護ケージの中央に配置される、＜項３１４＞に記載の血液ポンプシステム。
＜項３８３＞
前記遠位導管先端部が、前記近位導管セグメントまたは前記遠位導管セグメントの前記長軸を横断する平面上で参照されるように、拡張された前記遠位導管先端部保護ケージの中央に対して近位に、または遠位に配置される、＜項３１４＞に記載の血液ポンプシステム。
＜項３８４＞
連結のための前記構成または連結の前記方法が、以下：
ｖｉ）摩擦嵌合；
ｖｉｉ）タケノコ継手；
ｖｉｉｉ）半径方向圧縮固定器具または固定輪
ｉｘ）１つ以上のタケノコ継手及び半径方向圧縮固定器具もしくは固定輪を備えたインラインコネクタ；または
ｘ）接着剤；
のうちの１つ以上による、＜項３１４＞に記載の血液ポンプシステム。
＜項３８５＞
側方ポートが、以下：
ｖｉｉ）硬質ポリマー；
ｖｉｉｉ）ポリカーボネートまたはポリエーテルエーテルケトン；
ｉｘ）可塑性または弾性のポリマー；
ｘ）ポリウレタン、Ｐｅｌｌｅｔｈａｎｅ（登録商標）ポリウレタン、Ｃａｒｂｏｔｈａｎｅ（登録商標）ポリウレタン、ショア硬度７０のＣａｒｂｏｔｈａｎｅ（登録商標）ＰＣ−３５７５Ａ、芳香族ポリウレタンエラストマーアロイ、Ｐｏｌｙｂｌｅｎｄ  １１００芳香族ポリウレタンエラストマーアロイ、４５Ａもしくは５５Ａのショア硬度を有するＰｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミド；
ｘｉ）金属；または
ｘｉｉ）ステンレス鋼、ニチノール、金、または白金、
のうちの１つ以上を含む、＜項３１４＞に記載の血液ポンプシステム。
＜項３８６＞
前記側方ポートが、剛性セグメント及び可塑性セグメントを含む、＜項３１４＞に記載の血液ポンプシステム。
＜項３８７＞
前記剛性側方ポートセグメントが、硬質ポリマーを含み、前記可塑性側方ポートセグメントが、可塑性または弾性のポリマーを含む、＜項３１４＞に記載の血液ポンプシステム。
＜項３８８＞
前記剛性側方ポートセグメントが、ポリカーボネートまたはポリエーテルエーテルケトンを含む、＜項３１４＞に記載の血液ポンプシステム。
＜項３８９＞
前記可塑性側方ポートセグメントが、ポリウレタン、Ｐｅｌｌｅｔｈａｎｅ（登録商標）ポリウレタン、Ｃａｒｂｏｔｈａｎｅ（登録商標）ポリウレタン、ショア硬度７０のＣａｒｂｏｔｈａｎｅ（登録商標）ＰＣ−３５７５Ａ、芳香族ポリウレタンエラストマーアロイ、Ｐｏｌｙｂｌｅｎｄ  １１００芳香族ポリウレタンエラストマーアロイ、ショア硬度４５Ａまたは５５ＡのＰｏｌｙｂｌｅｎｄ  １１００芳香族ポリウレタンエラストマーアロイ、ポリ塩化ビニル、ポリエチレン、シリコーンエラストマー、ポリテトラフルオロエチレン、延伸ポリテトラフルオロエチレン、ポリエチレンテレフタレート、熱可塑性シリコーンポリカーボネートエラストマー、ポリエーテルブロックアミドを含む、＜項３１４＞に記載の血液ポンプシステム。
＜項３９０＞
前記可塑性側方ポートセグメントが金属ワイヤー支持体を備える、＜項３１４＞に記載の血液ポンプシステム。
＜項３９１＞
金属ワイヤー支持体が、編組、コイル、または螺旋構成であり、円形断面を有しても、または扁平断面を有してもよい、＜項３１４＞に記載の血液ポンプシステム。
＜項３９２＞
金属ワイヤー支持体が、可塑性または弾性のポリマーの２つの層の間、外面上または内面上に配置されている、＜項３１４＞に記載の血液ポンプシステム。
＜項３９３＞
ワイヤーが、ニチノール、ステンレス鋼、またはそれらの組み合わせを含む、＜項３１４＞に記載の血液ポンプシステム。
＜項３９４＞
コイル形状に巻かれた前記ニチノールワイヤーが、０．００４〜０．０１２インチ、または０．００８〜０．０１０インチの直径である、＜項３１４＞に記載の血液ポンプシステム。
＜項３９５＞
前記ニチノールワイヤーが、０．０１５〜０．０４インチのピッチまたは０．０２〜０．０３インチのピッチを有するコイル形状で巻かれている、＜項８４＞または＜項８５＞のいずれか１項に記載の導管。
＜項３９６＞
編組構成で適用される前記ニチノールワイヤーが、０．００２〜０．００８インチの直径、または０．００４インチの直径である、＜項８４＞に記載の導管。
＜項３９７＞
編組構成で適用された前記ニチノールワイヤーが、１つのストランドまたは２つのストランドに適用される、＜項８４＞または＜項８７＞のいずれか１項に記載の導管。
＜項３９８＞
前記ステンレス鋼が、３００シリーズ、３０４、３１６、３１６Ｌ、３１６ＬＶＭ、または４００シリーズのステンレス鋼である、＜項３１４＞に記載の血液ポンプシステム。
＜項３９９＞
可塑性側方ポートセグメントがクランプを備える、＜項３１４＞に記載の血液ポンプシステム。
＜項４００＞
前記流体経路と流体連通する前記側方ポートの部分が、キャップを備える、＜項３１４＞に記載の血液ポンプシステム。
＜項４０１＞
前記キャップが、以下：
ｘ）硬質もしくは剛性であるか；
ｘｉ）可塑性であるか；または
ｘｉｉ）硬い部分と可塑性の部分とを備える、＜項３１４＞に記載の血液ポンプシステム。
＜項４０２＞
前記キャップが、以下：
ｘｉｉｉ）シリンジ先端部が前記キャップ内に挿入されたときに開く止血弁；
ｘｉｖ）クロスカット膜を有する止血弁；
ｘｖ）止血弁を備えたＴｕｏｈｙ  Ｂｏｒｓｔアダプター；及び
ｘｖｉ）側方ポートへの流体の注入を可能にする三方向サイドアーム、
のうちの１つ以上を備える、＜項３１４＞に記載の血液ポンプシステム。
＜項４０３＞
前記キャップが、ねじ付きルアー継手によって前記側方ポートに連結される、＜項３１４＞に記載の血液ポンプシステム。
＜項４０４＞
近位導管セグメント、遠位導管セグメント、または側方ポートセグメントの一方または両方の端部が、前記導管セグメントの中間セグメントまたは前記側方ポートよりも大きな壁厚を有する、＜項３１４＞に記載の血液ポンプシステム。
＜項４０５＞
近位導管セグメント、遠位導管セグメント、遠位導管先端部、遠位導管先端部保護ケージ構造、または側方ポートの全てまたは一部がさらに、抗血栓性表面コーティングを含む、＜項３１４＞に記載の血液ポンプシステム。
＜項４０６＞
前記コーティングが親水性であり、ヘパリンを含む、＜項３１４＞に記載の血液ポンプシステム。
＜項４０７＞
前記コーティングが、Ａｓｔｕｔｅ（登録商標）またはＡｐｐｌａｕｓｅ（商標）である、＜項３１４＞に記載の血液ポンプシステム。
＜項４０８＞
前記２つのカフ部分が、近位導管セグメント、遠位導管セグメント、または遠位導管先端部の可塑性近位部分の周囲に互いに付着するように構成されている、＜項３１４＞に記載の血液ポンプシステム。
＜項４０９＞
テクスチャ加工された内面の少なくとも一部は、一連の円周方向に連続するかまたは交互に割り込まれた突起を備える、＜項３１４＞に記載の血液ポンプシステム。
＜項４１０＞
繊維状外面の少なくとも一部が、ダクロンまたはポリエステルベロアを含む、＜項３１４＞に記載の血液ポンプシステム。
＜項４１１＞
血液ポンプシステムであって：
血液ポンプと；
第１の導管と；
第２の導管と；を備え、
前記第１の導管は、本明細書に開示されるように、任意の構成において、個々にまたは任意の他の特徴と組み合わせてのいずれかで、記載される任意の特徴を含み；
前記第２の導管は、本明細書に開示されるように、任意の構成において、個々にまたは任意の他の特徴と組み合わせてのいずれかで、記載された任意の特徴を含む、前記血液ポンプシステム。